(57)【要約】      （修正有）【課題】商品に対する消費者の信用度を増大させると共に、消費者が安心して商品を選択できるようにする。【解決手段】商品情報提供システム１において、サーバ４は、商品提供者端末２から送信された商品提供者情報を記録する商品提供者情報記録手段６と、情報提供者端末３Ａ〜３Ｃから送信された情報提供者情報を記録する情報提供者情報記録手段７Ａ〜７Ｆと、情報提供者情報記録手段に記録された情報を出力する付属物情報出力手段８と、情報提供者にポイントを付与するポイント付与手段９を備える。【選択図】図１
2020177657.tif 000002
【特許請求の範囲】
【請求項１】
所定の商品の情報を含み、商品提供者の端末から送信された情報を、商品提供者情報として記録する商品提供者情報記録手段と、
前記商品提供者が提供する前記商品の情報と、前記商品提供者が提供する前記商品の品質理解のための情報を含み、前記商品提供者とは異なる情報提供者の端末から送信された情報を、情報提供者情報として記録する情報提供者情報記録手段と、
前記情報提供者情報記録手段に記録された前記情報提供者情報のうち、前記商品提供者が選択した情報提供者情報である選択情報提供者情報に含まれる前記品質理解のための情報を出力し、消費者の端末に表示せしめる情報出力手段と、
前記情報出力手段が情報を出力することによって、前記品質理解のための情報が利用された前記情報提供者に対して、ポイントを付与するポイント付与手段と、を備える商品情報提供システムであって、
前記情報出力手段は、
前記商品提供者が店頭で提供する前記商品に対応して設けられ、その対応する前記商品の近傍に表示された識別情報に対応する前記選択情報提供者情報に含まれる前記品質理解のための情報を出力し、
若しくは、
前記商品提供者が店頭で提供する前記商品に対応して設けられ、その対応する前記商品の近傍に表示された識別情報のうち、２以上の前記識別情報の中から消費者によって選択された前記識別情報に対応する前記選択情報提供者情報に含まれる前記品質理解のための情報を出力し、
若しくは、
前記商品提供者がカタログ、インターネット若しくはテレビ放送を通じて提供する前記商品に対応して設けられ、その対応する前記商品の画像と共に表示された識別情報に対応する前記選択情報提供者情報に含まれる前記品質理解のための情報を出力し、
若しくは、
前記商品提供者がカタログ、インターネット若しくはテレビ放送を通じて提供する前記商品に対応して設けられ、その対応する前記商品の画像と共に表示された識別情報のうち、２以上の前記識別情報の中から消費者によって選択された前記識別情報に対応する前記選択情報提供者情報に含まれる前記品質理解のための情報を出力する
商品情報提供システム。
【請求項２】
前記商品提供者の端末から送信された特定情報であって、前記情報提供者情報記録手段に記録された複数の前記情報提供者情報のうち、前記選択情報提供者情報を特定するための前記特定情報を記録する特定情報記録手段を備え、
前記情報出力手段は、前記特定情報記録手段に記録された前記特定情報に基づいて出力する
請求項１に記載の商品情報提供システム。
【請求項３】
前記商品提供者情報の少なくとも一部、若しくは、前記情報提供者情報の少なくとも一部、若しくは、前記商品提供者情報の少なくとも一部及び前記情報提供者情報の少なくとも一部、の情報に基づいて、人工知能により所定の情報をＡＩ情報として記録するＡＩ情報記録手段を備える
請求項１または請求項２に記載の商品情報提供システム。
【請求項４】
前記商品提供者情報記録手段に記録された商品提供者情報の少なくとも一部、若しくは、前記情報提供者情報記録手段に記録された情報提供者情報の少なくとも一部、若しくは、前記商品提供者情報記録手段に記録された商品提供者情報の少なくとも一部及び前記情報提供者情報記録手段に記録された情報提供者情報の少なくとも一部、の情報に基づいて、人工知能により所定の情報をＡＩ情報として出力するＡＩ情報出力手段を備える
請求項１または請求項２に記載の商品情報提供システム。
【請求項５】
前記情報提供者情報は、前記品質理解のための情報が利用された場合の還元率の情報を含み、
前記ポイント付与手段は、前記選択情報提供者情報に含まれる還元率の情報に応じたポイントを付与する
請求項１、請求項２、請求項３または請求項４に記載の商品情報提供システム。
【請求項６】
前記商品提供者情報は、前記商品提供者が提供する前記商品の品質理解のための情報を含む
請求項１、請求項２、請求項３、請求項４または請求項５に記載の商品情報提供システム。
【請求項７】
前記選択情報提供者情報を記録した前記情報提供者を、所定の表示を用いて知らしめている
請求項１、請求項２、請求項３、請求項４、請求項５または請求項６に記載の商品情報提供システム。
【請求項８】
商品提供者が提供する商品の品質理解のための情報を含み、前記商品提供者とは異なる情報提供者の端末から送信された情報を、情報提供者情報として記録する情報提供者情報記録手段と、
前記情報提供者情報記録手段に記録された前記情報提供者情報のうち、前記商品提供者が選択した情報提供者情報である選択情報提供者情報に含まれる前記品質理解のための情報を出力し、消費者の端末に表示せしめる情報出力手段と、
前記情報出力手段が情報を出力することによって、前記品質理解のための情報が利用された前記情報提供者に対して、ポイントを付与するポイント付与手段と、を備える商品情報提供システムであって、
前記情報出力手段は、
前記商品提供者が店頭で提供する前記商品に対応して設けられ、その対応する前記商品の近傍に表示された識別情報に対応する前記選択情報提供者情報に含まれる前記品質理解のための情報を出力し、
若しくは、
前記商品提供者が店頭で提供する前記商品に対応して設けられ、その対応する前記商品の近傍に表示された識別情報のうち、２以上の前記識別情報の中から消費者によって選択された前記識別情報に対応する前記選択情報提供者情報に含まれる前記品質理解のための情報を出力し、
若しくは、
前記商品提供者がカタログ、インターネット若しくはテレビ放送を通じて提供する前記商品に対応して設けられ、その対応する前記商品の画像と共に表示された識別情報に対応する前記選択情報提供者情報に含まれる前記品質理解のための情報を出力し、
若しくは、
前記商品提供者がカタログ、インターネット若しくはテレビ放送を通じて提供する前記商品に対応して設けられ、その対応する前記商品の画像と共に表示された識別情報のうち、２以上の前記識別情報の中から消費者によって選択された前記識別情報に対応する前記選択情報提供者情報に含まれる前記品質理解のための情報を出力する
商品情報提供システム。
【請求項９】
前記商品提供者の端末から送信された特定情報であって、前記情報提供者情報記録手段に記録された複数の前記情報提供者情報のうち、前記選択情報提供者情報を特定するための前記特定情報を記録する特定情報記録手段を備え、
前記情報出力手段は、前記特定情報記録手段に記録された前記特定情報に基づいて出力する
請求項８に記載の商品情報提供システム。
【請求項１０】
前記情報提供者情報の少なくとも一部、の情報に基づいて、人工知能により所定の情報をＡＩ情報として記録するＡＩ情報記録手段を備える
請求項８または請求項９に記載の商品情報提供システム。
【請求項１１】
前記情報提供者情報記録手段に記録された情報提供者情報の少なくとも一部、の情報に基づいて、人工知能により所定の情報をＡＩ情報として出力するＡＩ情報出力手段を備える
請求項８または請求項９に記載の商品情報提供システム。
【請求項１２】
前記情報提供者情報は、前記品質理解のための情報が利用された場合の還元率の情報を含み、
前記ポイント付与手段は、前記選択情報提供者情報に含まれる還元率の情報に応じたポイントを付与する
請求項８、請求項９、請求項１０または請求項１１に記載の商品情報提供システム。
【請求項１３】
前記選択情報提供者情報を記録した前記情報提供者を、所定の表示を用いて知らしめている
請求項８、請求項９、請求項１０、請求項１１または請求項１２に記載の商品情報提供システム。
【請求項１４】
所定のサービスの情報を含み、サービス提供者の端末から送信された情報を、サービス提供者情報として記録するサービス提供者情報記録手段と、
前記サービス提供者が提供する前記サービスの情報と、前記サービス提供者が提供する前記サービスの品質理解のための情報を含み、前記サービス提供者とは異なる情報提供者の端末から送信された情報を、情報提供者情報として記録する情報提供者情報記録手段と、
前記情報提供者情報記録手段に記録された前記情報提供者情報のうち、前記サービス提供者が選択した情報提供者情報である選択情報提供者情報に含まれる前記品質理解のための情報を出力し、消費者の端末に表示せしめる情報出力手段と、
前記情報出力手段が情報を出力することによって、前記品質理解のための情報が利用された前記情報提供者に対して、ポイントを付与するポイント付与手段と、を備えるサービス情報提供システムであって、
前記情報出力手段は、
前記サービス提供者が提供する前記サービスに対応して設けられた識別情報に対応する前記選択情報提供者情報に含まれる前記品質理解のための情報を出力し、
若しくは、
前記サービス提供者が提供する前記サービスに対応して設けられた識別情報のうち、２以上の前記識別情報の中から消費者によって選択された前記識別情報に対応する前記選択情報提供者情報に含まれる前記品質理解のための情報を出力する
サービス情報提供システム。
【請求項１５】
前記サービス提供者の端末から送信された特定情報であって、前記情報提供者情報記録手段に記録された複数の前記情報提供者情報のうち、前記選択情報提供者情報を特定するための前記特定情報を記録する特定情報記録手段を備え、
前記情報出力手段は、前記特定情報記録手段に記録された前記特定情報に基づいて出力する
請求項１４に記載のサービス情報提供システム。
【請求項１６】
前記サービス提供者情報の少なくとも一部、若しくは、前記情報提供者情報の少なくとも一部、若しくは、前記サービス提供者情報の少なくとも一部及び前記情報提供者情報の少なくとも一部、の情報に基づいて、人工知能により所定の情報をＡＩ情報として記録するＡＩ情報記録手段を備える
請求項１４または請求項１５に記載のサービス情報提供システム。
【請求項１７】
前記サービス提供者情報記録手段に記録されたサービス提供者情報の少なくとも一部、若しくは、前記情報提供者情報記録手段に記録された情報提供者情報の少なくとも一部、若しくは、前記サービス提供者情報記録手段に記録されたサービス提供者情報の少なくとも一部及び前記情報提供者情報記録手段に記録された情報提供者情報の少なくとも一部、の情報に基づいて、人工知能により所定の情報をＡＩ情報として出力するＡＩ情報出力手段を備える
請求項１４または請求項１５に記載のサービス情報提供システム。
【請求項１８】
前記情報提供者情報は、前記品質理解のための情報が利用された場合の還元率の情報を含み、
前記ポイント付与手段は、前記選択情報提供者情報に含まれる還元率の情報に応じたポイントを付与する
請求項１４、請求項１５、請求項１６または請求項１７に記載のサービス情報提供システム。
【請求項１９】
前記サービス提供者情報は、前記サービス提供者が提供する前記サービスの品質理解のための情報を含む
請求項１４、請求項１５、請求項１６、請求項１７または請求項１８に記載のサービス情報提供システム。
【請求項２０】
前記選択情報提供者情報を記録した前記情報提供者を、所定の表示を用いて知らしめている
請求項１４、請求項１５、請求項１６、請求項１７、請求項１８または請求項１９に記載のサービス情報提供システム。
【請求項２１】
サービス提供者が提供するサービスの品質理解のための情報を含み、前記サービス提供者とは異なる情報提供者の端末から送信された情報を、情報提供者情報として記録する情報提供者情報記録手段と、
前記情報提供者情報記録手段に記録された前記情報提供者情報のうち、前記サービス提供者が選択した情報提供者情報である選択情報提供者情報に含まれる前記品質理解のための情報を出力し、消費者の端末に表示せしめる情報出力手段と、
前記情報出力手段が情報を出力することによって、前記品質理解のための情報が利用された前記情報提供者に対して、ポイントを付与するポイント付与手段と、を備えるサービス情報提供システムであって、
前記情報出力手段は、
前記サービス提供者が提供する前記サービスに対応して設けられた識別情報に対応する前記選択情報提供者情報に含まれる前記品質理解のための情報を出力し、
若しくは、
前記サービス提供者が提供する前記サービスに対応して設けられた識別情報のうち、２以上の前記識別情報の中から消費者によって選択された前記識別情報に対応する前記選択情報提供者情報に含まれる前記品質理解のための情報を出力する
サービス情報提供システム。
【請求項２２】
前記サービス提供者の端末から送信された特定情報であって、前記情報提供者情報記録手段に記録された複数の前記情報提供者情報のうち、前記選択情報提供者情報を特定するための前記特定情報を記録する特定情報記録手段を備え、
前記情報出力手段は、前記特定情報記録手段に記録された前記特定情報に基づいて出力する
請求項２１に記載のサービス情報提供システム。
【請求項２３】
前記情報提供者情報の少なくとも一部、の情報に基づいて、人工知能により所定の情報をＡＩ情報として記録するＡＩ情報記録手段を備える
請求項２１または請求項２２に記載のサービス情報提供システム。
【請求項２４】
前記情報提供者情報記録手段に記録された情報提供者情報の少なくとも一部、の情報に基づいて、人工知能により所定の情報をＡＩ情報として出力するＡＩ情報出力手段を備える
請求項２１または請求項２２に記載のサービス情報提供システム。
【請求項２５】
前記情報提供者情報は、前記品質理解のための情報が利用された場合の還元率の情報を含み、
前記ポイント付与手段は、前記選択情報提供者情報に含まれる還元率の情報に応じたポイントを付与する
請求項２１、請求項２２、請求項２３または請求項２４に記載のサービス情報提供システム。
【請求項２６】
前記選択情報提供者情報を記録した前記情報提供者を、所定の表示を用いて知らしめている
請求項２１、請求項２２、請求項２３、請求項２４または請求項２５に記載のサービス情報提供システム。
【発明の詳細な説明】
【技術分野】
【０００１】
本発明は、商品情報提供システム及びサービス情報提供システムに関する。詳しくは、消費者が安心して商品やサービスの選択をすることが可能となる商品情報提供システム及びサービス情報提供システムに係るものである。
【背景技術】
【０００２】
従来、食品を中心として商品の安全性が消費者に注目されており、消費者が商品を選択する際に、消費者は商品自体や商品の原料がどの様な物であるのかという点にまで関心を示す様になっている。
【０００３】
そのため、商品の提供者は、提供する商品や商品の原料の成分や産地、製造年月日等の情報を商品の包装に貼付したラベルに記載したり、ＩＣタグに記録したりして、商品を提供している。
【０００４】
しかし、単に情報を記載や記録したものを商品に添付して提供するだけでは、その情報の改竄や偽造等が容易であり、現に情報の改竄や偽造等が行われている事実もあり、消費者に信用が低く、消費者が安心して商品を選択することが困難であった。
【０００５】
そこで、本発明の発明者は、単に情報を記載や記録したものを食品に添付するのではなく、食品の原料を粉末にした原料粉末見本を食品に添付して食品を提供する技術を提案している（特許文献１参照）。
【先行技術文献】
【特許文献】
【０００６】
【特許文献１】特開２００９−５６５６号公報
【発明の概要】
【発明が解決しようとする課題】
【０００７】
ところで、食品を含む各種商品の品質や、各種サービスの品質は、その商品やサービスが消費者に提供されるまでの過程における様々な要因に強く影響を受けるものである。
【０００８】
そのため、食品の原料粉末見本は、食品の品質についての情報を得ることができる要因ではあるものの、たった１つの要因に過ぎず、原料粉末見本を食品に添付して食品を提供するといった特許文献１に記載の技術のみでは、消費者が安心して商品やサービスを選択するといった目的を実現するのに充分ではない場合がある。
【０００９】
本発明は、以上の点に鑑みて創案されたものであって、より一層充分に消費者が安心して商品やサービスを選択することが可能となる商品情報提供システム及びサービス情報提供システムを提供することを目的とするものである。
【課題を解決するための手段】
【００１０】
上記の目的を達成するために、本発明の商品情報提供システムは、所定の商品の情報を含み、商品提供者の端末から送信された情報を、商品提供者情報として記録する商品提供者情報記録手段と、前記商品提供者が提供する前記商品の情報と、前記商品提供者が提供する前記商品の品質理解のための情報を含み、前記商品提供者とは異なる情報提供者の端末から送信された情報を、情報提供者情報として記録する情報提供者情報記録手段と、前記情報提供者情報記録手段に記録された前記情報提供者情報のうち、前記商品提供者が選択した情報提供者情報である選択情報提供者情報に含まれる前記品質理解のための情報を出力し、消費者の端末に表示せしめる情報出力手段と、前記情報出力手段が情報を出力することによって、前記品質理解のための情報が利用された前記情報提供者に対して、ポイントを付与するポイント付与手段と、を備える商品情報提供システムであって、前記情報出力手段は、前記商品提供者が店頭で提供する前記商品に対応して設けられ、その対応する前記商品の近傍に表示された識別情報に対応する前記選択情報提供者情報に含まれる前記品質理解のための情報を出力し、若しくは、前記商品提供者が店頭で提供する前記商品に対応して設けられ、その対応する前記商品の近傍に表示された識別情報のうち、２以上の前記識別情報の中から消費者によって選択された前記識別情報に対応する前記選択情報提供者情報に含まれる前記品質理解のための情報を出力し、若しくは、前記商品提供者がカタログ、インターネット若しくはテレビ放送を通じて提供する前記商品に対応して設けられ、その対応する前記商品の画像と共に表示された識別情報に対応する前記選択情報提供者情報に含まれる前記品質理解のための情報を出力し、若しくは、前記商品提供者がカタログ、インターネット若しくはテレビ放送を通じて提供する前記商品に対応して設けられ、その対応する前記商品の画像と共に表示された識別情報のうち、２以上の前記識別情報の中から消費者によって選択された前記識別情報に対応する前記選択情報提供者情報に含まれる前記品質理解のための情報を出力する。
【００１１】
ここで、商品提供者情報として、所定の商品の情報が商品提供者情報記録手段に記録されることによって、商品提供者が提供する所定の商品を特定することができる。
【００１２】
また、情報提供者情報として、商品提供者が提供する商品の情報が情報提供者情報記録手段に記録されることによって、商品提供者が提供する所定の商品を情報提供者の立場で特定することができる。
【００１３】
そして、所定の商品の特定を、商品提供者と情報提供者の双方の情報に基づいて行うことによって、情報の改竄や偽造等を抑止することができる。
即ち、同一内容であるべき情報（所定の商品の情報）について、それを提供する側（商品提供者）とそれ以外（情報提供者）の双方から記録することによって、情報の改竄や偽造等を抑止することができる。
なお、商品提供者情報記録手段が、情報提供者情報記録手段と異なる場合には、より一層情報の改竄や偽造等を抑止することができる。
【００１４】
また、情報提供者情報として、品質理解のための情報が情報提供者情報記録手段に記録されることによって、商品提供者が提供する商品の品質を情報提供者の立場で特定することができる。
【００１５】
ここで、商品提供者情報として、品質理解のための情報が商品提供者情報記録手段に記録される場合には、商品提供者が提供する商品の品質を特定することができる。
【００１６】
そして、所定の商品の品質の特定を、商品提供者と情報提供者の双方の情報に基づいて行うことによって、情報の改竄や偽造等を抑止することができる。
即ち、同一内容であるべき情報（商品の品質理解のための情報）について、それを提供する側（商品提供者）とそれ以外（情報提供者）の双方から記録することによって、情報の改竄や偽造等を抑止することができる。そして、情報の改竄や偽造等の抑止が実現できることから、情報提供者が提供する情報提供者情報は、商品提供者が提供する所定の商品の品質を保証するといった役割をも果たすこととなる。そのため、品質を保証してくれる情報提供者（即ち、選択情報提供者情報を記録した情報提供者）を、所定の表示を用いて知らしめた場合には、商品提供者の商品の販売促進が期待できる。
なお、商品提供者情報記録手段が、情報提供者情報記録手段と異なる場合には、より一層情報の改竄や偽造等を抑止することができる。
【００１７】
また、情報出力手段が、選択情報提供者情報に含まれる品質理解のための情報を出力し、消費者の端末に表示せしめることによって、消費者は情報提供者が特定した商品提供者の商品の品質を把握することができる。
【００１８】
ここで、識別情報が、商品提供者が店頭で提供する商品に対応して設けられ、その対応する商品の近傍に表示されることによって、商品提供者が店頭で提供する商品と識別情報との対応関係が明確になり、そのことを通じて、「識別情報」と「選択情報提供者情報に含まれる品質理解のための情報」との対応関係も明確になる。
【００１９】
また、識別情報が、商品提供者がカタログ、インターネット若しくはテレビ放送を通じて提供する商品に対応して設けられ、その対応する商品の画像と共に表示されることによって、商品提供者がカタログ等を通じて提供する商品と識別情報との対応関係が明確になり、そのことを通じて、「識別情報」と「選択情報提供者情報に含まれる品質理解のための情報」との対応関係も明確になる。
【００２０】
更に、ポイント付与手段が品質理解のための情報が利用された情報提供者に対してポイントを付与することによって、品質理解のための情報が利用されたいという情報提供者のインセンティブを高めることができる。
【００２１】
また、ポイントを付与される対象は、商品提供者が選択した情報提供者情報であるために、換言すると、商品提供者に選択された情報提供者情報のみが利用されるために、情報提供者情報が利用されたい情報提供者同士での競争が生まれ、より一層、情報提供者情報に含まれる品質理解のための情報の高品質化が期待できる。なお、商品提供者が選択する情報提供者情報は、単数であっても複数であっても良い。
【００２２】
ここで、ＡＩ情報記録手段を備える場合には、商品提供者の端末から送信された情報や情報提供者の端末から送信された情報に加えて、人工知能によるＡＩ情報をも記録することができる。
一方、ＡＩ情報出力手段を備える場合には、ユーザに対して、人工知能によるＡＩ情報を提供することができる。
【００２３】
また、情報提供者情報として、還元率の情報が情報提供者情報記録手段に記録される場合には、品質理解のための情報が利用された場合の還元率を特定することができる。
【００２４】
なお、情報提供者情報は情報提供者の端末から送信される情報であるために、換言すると、還元率の情報を情報提供者自身が決定し、情報提供者情報記録手段に記録することによって、品質理解のための情報が利用されたいという情報提供者のインセンティブが高まることを期待できる。そして、こうしたインセンティブの高まりに伴って、情報提供者情報に含まれる品質理解のための情報の高品質化も期待できる。
【００２５】
また、上記の目的を達成するために、本発明の商品情報提供システムは、商品提供者が提供する商品の品質理解のための情報を含み、前記商品提供者とは異なる情報提供者の端末から送信された情報を、情報提供者情報として記録する情報提供者情報記録手段と、前記情報提供者情報記録手段に記録された前記情報提供者情報のうち、前記商品提供者が選択した情報提供者情報である選択情報提供者情報に含まれる前記品質理解のための情報を出力し、消費者の端末に表示せしめる情報出力手段と、前記情報出力手段が情報を出力することによって、前記品質理解のための情報が利用された前記情報提供者に対して、ポイントを付与するポイント付与手段と、を備える商品情報提供システムであって、前記情報出力手段は、前記商品提供者が店頭で提供する前記商品に対応して設けられ、その対応する前記商品の近傍に表示された識別情報に対応する前記選択情報提供者情報に含まれる前記品質理解のための情報を出力し、若しくは、前記商品提供者が店頭で提供する前記商品に対応して設けられ、その対応する前記商品の近傍に表示された識別情報のうち、２以上の前記識別情報の中から消費者によって選択された前記識別情報に対応する前記選択情報提供者情報に含まれる前記品質理解のための情報を出力し、若しくは、前記商品提供者がカタログ、インターネット若しくはテレビ放送を通じて提供する前記商品に対応して設けられ、その対応する前記商品の画像と共に表示された識別情報に対応する前記選択情報提供者情報に含まれる前記品質理解のための情報を出力し、若しくは、前記商品提供者がカタログ、インターネット若しくはテレビ放送を通じて提供する前記商品に対応して設けられ、その対応する前記商品の画像と共に表示された識別情報のうち、２以上の前記識別情報の中から消費者によって選択された前記識別情報に対応する前記選択情報提供者情報に含まれる前記品質理解のための情報を出力する。
【００２６】
ここで、情報提供者情報として、品質理解のための情報が情報提供者情報記録手段に記録されることによって、商品提供者が提供する商品の品質を情報提供者の立場で特定することができる。
【００２７】
また、情報出力手段が、選択情報提供者情報に含まれる品質理解のための情報を出力し、消費者の端末に表示せしめることによって、消費者は情報提供者が特定した商品提供者の商品の品質を把握することができる。
【００２８】
ここで、識別情報が、商品提供者が店頭で提供する商品に対応して設けられ、その対応する商品の近傍に表示されることによって、商品提供者が店頭で提供する商品と識別情報との対応関係が明確になり、そのことを通じて、「識別情報」と「選択情報提供者情報に含まれる品質理解のための情報」との対応関係も明確になる。
【００２９】
また、識別情報が、商品提供者がカタログ、インターネット若しくはテレビ放送を通じて提供する商品に対応して設けられ、その対応する商品の画像と共に表示されることによって、商品提供者がカタログ等を通じて提供する商品と識別情報との対応関係が明確になり、そのことを通じて、「識別情報」と「選択情報提供者情報に含まれる品質理解のための情報」との対応関係も明確になる。
【００３０】
更に、ポイント付与手段が品質理解のための情報が利用された情報提供者に対してポイントを付与することによって、品質理解のための情報が利用されたいという情報提供者のインセンティブを高めることができる。
【００３１】
また、ポイントを付与される対象は、商品提供者が選択した情報提供者情報であるために、換言すると、商品提供者に選択された情報提供者情報のみが利用されるために、情報提供者情報が利用されたい情報提供者同士での競争が生まれ、より一層、情報提供者情報に含まれる品質理解のための情報の高品質化が期待できる。なお、商品提供者が選択する情報提供者情報は、単数であっても複数であっても良い。
【００３２】
ここで、ＡＩ情報記録手段を備える場合には、商品提供者の端末から送信された情報や情報提供者の端末から送信された情報に加えて、人工知能によるＡＩ情報をも記録することができる。
一方、ＡＩ情報出力手段を備える場合には、ユーザに対して、人工知能によるＡＩ情報を提供することができる。
【００３３】
また、情報提供者情報として、還元率の情報が情報提供者情報記録手段に記録される場合には、品質理解のための情報が利用された場合の還元率を特定することができる。
【００３４】
なお、情報提供者情報は情報提供者の端末から送信される情報であるために、換言すると、還元率の情報を情報提供者自身が決定し、情報提供者情報記録手段に記録することによって、品質理解のための情報が利用されたいという情報提供者のインセンティブが高まることを期待できる。そして、こうしたインセンティブの高まりに伴って、情報提供者情報に含まれる品質理解のための情報の高品質化も期待できる。
【００３５】
また、上記の目的を達成するために、本発明のサービス情報提供システムは、所定のサービスの情報を含み、サービス提供者の端末から送信された情報を、サービス提供者情報として記録するサービス提供者情報記録手段と、前記サービス提供者が提供する前記サービスの情報と、前記サービス提供者が提供する前記サービスの品質理解のための情報を含み、前記サービス提供者とは異なる情報提供者の端末から送信された情報を、情報提供者情報として記録する情報提供者情報記録手段と、前記情報提供者情報記録手段に記録された前記情報提供者情報のうち、前記サービス提供者が選択した情報提供者情報である選択情報提供者情報に含まれる前記品質理解のための情報を出力し、消費者の端末に表示せしめる情報出力手段と、前記情報出力手段が情報を出力することによって、前記品質理解のための情報が利用された前記情報提供者に対して、ポイントを付与するポイント付与手段と、を備えるサービス情報提供システムであって、前記情報出力手段は、前記サービス提供者が提供する前記サービスに対応して設けられた識別情報に対応する前記選択情報提供者情報に含まれる前記品質理解のための情報を出力し、若しくは、前記サービス提供者が提供する前記サービスに対応して設けられた識別情報のうち、２以上の前記識別情報の中から消費者によって選択された前記識別情報に対応する前記選択情報提供者情報に含まれる前記品質理解のための情報を出力する。
【００３６】
ここで、サービス提供者情報として、所定のサービスの情報がサービス提供者情報記録手段に記録されることによって、サービス提供者が提供する所定のサービスを特定することができる。
【００３７】
また、情報提供者情報として、サービス提供者が提供するサービスの情報が情報提供者情報記録手段に記録されることによって、サービス提供者が提供する所定のサービスを情報提供者の立場で特定することができる。
【００３８】
そして、所定のサービスの特定を、サービス提供者と情報提供者の双方の情報に基づいて行うことによって、情報の改竄や偽造等を抑止することができる。
即ち、同一内容であるべき情報（所定のサービスの情報）について、それを提供する側（サービス提供者）とそれ以外（情報提供者）の双方から記録することによって、情報の改竄や偽造等を抑止することができる。
なお、サービス提供者情報記録手段が、情報提供者情報記録手段と異なる場合には、より一層情報の改竄や偽造等を抑止することができる。
【００３９】
また、情報提供者情報として、品質理解のための情報が情報提供者情報記録手段に記録されることによって、サービス提供者が提供するサービスの品質を情報提供者の立場で特定することができる。
【００４０】
ここで、サービス提供者情報として、品質理解のための情報がサービス提供者情報記録手段に記録される場合には、サービス提供者が提供するサービスの品質を特定することができる。
【００４１】
そして、所定のサービスの品質の特定を、サービス提供者と情報提供者の双方の情報に基づいて行うことによって、情報の改竄や偽造等を抑止することができる。
即ち、同一内容であるべき情報（サービスの品質理解のための情報）について、それを提供する側（サービス提供者）とそれ以外（情報提供者）の双方から記録することによって、情報の改竄や偽造等を抑止することができる。そして、情報の改竄や偽造等の抑止が実現できることから、情報提供者が提供する情報提供者情報は、サービス提供者が提供する所定のサービスの品質を保証するといった役割をも果たすこととなる。そのため、品質を保証してくれる情報提供者（即ち、選択情報提供者情報を記録した情報提供者）を、所定の表示を用いて知らしめた場合には、サービス提供者のサービスの販売促進が期待できる。
なお、サービス提供者情報記録手段が、情報提供者情報記録手段と異なる場合には、より一層情報の改竄や偽造等を抑止することができる。
【００４２】
また、情報出力手段が、選択情報提供者情報に含まれる品質理解のための情報を出力し、消費者の端末に表示せしめることによって、消費者は情報提供者が特定したサービス提供者のサービスの品質を把握することができる。
【００４３】
ここで、識別情報が、サービス提供者が提供するサービスに対応して設けられることによって、サービス提供者が提供するサービスと識別情報との対応関係が明確になり、そのことを通じて、「識別情報」と「選択情報提供者情報に含まれる品質理解のための情報」との対応関係も明確になる。
【００４４】
更に、ポイント付与手段が品質理解のための情報が利用された情報提供者に対してポイントを付与することによって、品質理解のための情報が利用されたいという情報提供者のインセンティブを高めることができる。
【００４５】
また、ポイントを付与される対象は、サービス提供者が選択した情報提供者情報であるために、換言すると、サービス提供者に選択された情報提供者情報のみが利用されるために、情報提供者情報が利用されたい情報提供者同士での競争が生まれ、より一層、情報提供者情報に含まれる品質理解のための情報の高品質化が期待できる。なお、サービス提供者が選択する情報提供者情報は、単数であっても複数であっても良い。
【００４６】
ここで、ＡＩ情報記録手段を備える場合には、サービス提供者の端末から送信された情報や情報提供者の端末から送信された情報に加えて、人工知能によるＡＩ情報をも記録することができる。
一方、ＡＩ情報出力手段を備える場合には、ユーザに対して、人工知能によるＡＩ情報を提供することができる。
【００４７】
また、情報提供者情報として、還元率の情報が情報提供者情報記録手段に記録される場合には、品質理解のための情報が利用された場合の還元率を特定することができる。
【００４８】
なお、情報提供者情報は情報提供者の端末から送信される情報であるために、換言すると、還元率の情報を情報提供者自身が決定し、情報提供者情報記録手段に記録することによって、品質理解のための情報が利用されたいという情報提供者のインセンティブが高まることを期待できる。そして、こうしたインセンティブの高まりに伴って、情報提供者情報に含まれる品質理解のための情報の高品質化も期待できる。
【００４９】
また、上記の目的を達成するために、本発明のサービス情報提供システムは、サービス提供者が提供するサービスの品質理解のための情報を含み、前記サービス提供者とは異なる情報提供者の端末から送信された情報を、情報提供者情報として記録する情報提供者情報記録手段と、前記情報提供者情報記録手段に記録された前記情報提供者情報のうち、前記サービス提供者が選択した情報提供者情報である選択情報提供者情報に含まれる前記品質理解のための情報を出力し、消費者の端末に表示せしめる情報出力手段と、前記情報出力手段が情報を出力することによって、前記品質理解のための情報が利用された前記情報提供者に対して、ポイントを付与するポイント付与手段と、を備えるサービス情報提供システムであって、前記情報出力手段は、前記サービス提供者が提供する前記サービスに対応して設けられた識別情報に対応する前記選択情報提供者情報に含まれる前記品質理解のための情報を出力し、若しくは、前記サービス提供者が提供する前記サービスに対応して設けられた識別情報のうち、２以上の前記識別情報の中から消費者によって選択された前記識別情報に対応する前記選択情報提供者情報に含まれる前記品質理解のための情報を出力する。
【００５０】
ここで、情報提供者情報として、品質理解のための情報が情報提供者情報記録手段に記録されることによって、サービス提供者が提供するサービスの品質を情報提供者の立場で特定することができる。
【００５１】
また、情報出力手段が、選択情報提供者情報に含まれる品質理解のための情報を出力し、消費者の端末に表示せしめることによって、消費者は情報提供者が特定したサービス提供者のサービスの品質を把握することができる。
【００５２】
ここで、識別情報が、サービス提供者が提供するサービスに対応して設けられることによって、サービス提供者が提供するサービスと識別情報との対応関係が明確になり、そのことを通じて、「識別情報」と「選択情報提供者情報に含まれる品質理解のための情報」との対応関係も明確になる。
【００５３】
更に、ポイント付与手段が品質理解のための情報が利用された情報提供者に対してポイントを付与することによって、品質理解のための情報が利用されたいという情報提供者のインセンティブを高めることができる。
【００５４】
また、ポイントを付与される対象は、サービス提供者が選択した情報提供者情報であるために、換言すると、サービス提供者に選択された情報提供者情報のみが利用されるために、情報提供者情報が利用されたい情報提供者同士での競争が生まれ、より一層、情報提供者情報に含まれる品質理解のための情報の高品質化が期待できる。なお、サービス提供者が選択する情報提供者情報は、単数であっても複数であっても良い。
【００５５】
ここで、ＡＩ情報記録手段を備える場合には、サービス提供者の端末から送信された情報や情報提供者の端末から送信された情報に加えて、人工知能によるＡＩ情報をも記録することができる。
一方、ＡＩ情報出力手段を備える場合には、ユーザに対して、人工知能によるＡＩ情報を提供することができる。
【００５６】
また、情報提供者情報として、還元率の情報が情報提供者情報記録手段に記録される場合には、品質理解のための情報が利用された場合の還元率を特定することができる。
【００５７】
なお、情報提供者情報は情報提供者の端末から送信される情報であるために、換言すると、還元率の情報を情報提供者自身が決定し、情報提供者情報記録手段に記録することによって、品質理解のための情報が利用されたいという情報提供者のインセンティブが高まることを期待できる。そして、こうしたインセンティブの高まりに伴って、情報提供者情報に含まれる品質理解のための情報の高品質化も期待できる。
【００５８】
ところで、ここでの「所定の商品」とは、食品も含む。また、「所定の商品」は、一次産品である場合と二次産品である場合の双方を含み、有体物である場合と無体物である場合の双方を含む。
【００５９】
また、ここでの「所定のサービス」とは、顧客のためになされる種々の奉仕や、他人のために尽力すること、を意味し、有償であるか無償であるかは問わない。
【００６０】
また、ここでの「識別情報」とは、例えば、通信回線を介して選択情報提供者情報が掲載されたウェブサイトにアクセスすることができる二次元バーコードやカラーコード、ＵＲＬ、リンクが貼られた文字や画像等を意味する。
なお、二次元バーコードやカラーコードであれば、消費者の端末で読み込みを行うことでウェブサイトにアクセスが可能であり、ＵＲＬであれば、消費者の端末に入力することでウェブサイトにアクセスが可能であり、リンクが貼られた文字や画像であれば、クリックやタップすることでウェブサイトにアクセスが可能である。
【００６１】
更に、ここでの「ポイント」とは、景品や商品と交換したり、値引きしたり、次回以降の購入代金の一部に充当したりすることができる点数を意味し、換金できる点数、換金できない点数、のいずれも含むものである。
【００６２】
また、「所定の商品」が食品（一次産品）である場合の「商品の品質理解のための情報」や、「所定のサービス」が食品（一次産品）の加工である場合の「サービスの品質理解のための情報」としては、例えば、以下に示す付属物の情報が挙げられる。なお、食品以外の商品（一次産品）や、食品以外の商品（一次産品）の加工である場合の付属物については、以下の付属物の説明中の「食品」を「商品」に読み替えるものとする。
【００６３】
［一次産品の付属物１］
所定の食品の生産に関与した土壌、水、海水、海底水、アルカリ水、海底水から採取した塩、海底泥、海藻、肥料、土壌消毒剤、殺菌剤、抗菌剤、農薬、種子、土壌中の生き物、水中の生き物、草、養殖用飼料、昆虫類、忌避植物、飼料、赤身肉化剤、抗生物質、成長ホルモン剤、ビニールハウスのビニールと略同質のビニールの少なくとも１つ。
【００６４】
［一次産品の付属物２］
所定の食品の生産地における種まきや苗植え前の土壌、及び、所定の食品の生産地における収穫後の土壌。
【００６５】
［一次産品の付属物３］
所定の食品の生産に関与した土壌、水、海水、海底水、アルカリ水、海底水から採取した塩、海藻の少なくとも１つである生産関与物本体と、生産関与物本体の採取地の情報である採取地情報とを有するもの。
【００６６】
［一次産品の付属物４］
所定の食品の生産地で得られた草。
【００６７】
［一次産品の付属物５］
所定の食品の生産に関与した外国産の飼料である草、所定の食品の生産に関与した国内産の飼料である草、所定の食品の生産に関与した外国産の穀物飼料、所定の食品の生産に関与した国内産の穀物飼料の少なくとも１つ。
【００６８】
［一次産品の付属物６］
所定の食品の生産に関与した飼料と略同一であり、穀物部分と、抗生物質及び成長ホルモン剤部分とが別個の状態に構成されたもの。
【００６９】
［一次産品の付属物７］
所定の食品と略同一条件で所定の食品とは別体で成長した代替食品。
【００７０】
［一次産品の付属物８］
所定の食品と略同一条件で所定の食品とは別体で成長した代替食品の粉末。
【００７１】
［一次産品の付属物９］
所定の食品と略同一条件で所定の食品とは別体で成長した代替食品の加工品。
【００７２】
［一次産品の付属物１０］
所定の食品と略同一条件で所定の食品とは別体で成長した代替食品の粉末加工品。
【００７３】
［一次産品の付属物１１］
所定の食品と略同一条件で所定の食品とは別体で成長した代替食品と一体に成長した代替一体成長物。
【００７４】
［一次産品の付属物１２］
所定の食品と略同一条件で所定の食品とは別体で成長した代替食品と一体に成長した代替一体成長物の粉末。
【００７５】
［一次産品の付属物１３］
所定の食品と略同一条件で所定の食品とは別体で成長した代替食品と一体に成長した代替一体成長物の加工品。
【００７６】
［一次産品の付属物１４］
所定の食品と略同一条件で所定の食品とは別体で成長した代替食品と一体に成長した代替一体成長物の粉末加工品。
【００７７】
［一次産品の付属物１５］
所定の食品と一体に成長した一体成長物の所定の食品とは異なる部分であり、若しくは、所定の食品と略同一条件で所定の食品とは別体で成長した代替食品と一体に成長した代替一体成長物の所定の食品に対応する部分とは異なる部分。
【００７８】
［一次産品の付属物１６］
所定の食品と一体に成長した一体成長物の所定の食品とは異なる部分の粉末であり、若しくは、所定の食品と略同一条件で所定の食品とは別体で成長した代替食品と一体に成長した代替一体成長物の所定の食品に対応する部分とは異なる部分の粉末。
【００７９】
［一次産品の付属物１７］
所定の食品と一体に成長した一体成長物の所定の食品とは異なる部分の加工品であり、若しくは、所定の食品と略同一条件で所定の食品とは別体で成長した代替食品と一体に成長した代替一体成長物の所定の食品に対応する部分とは異なる部分の加工品。
【００８０】
［一次産品の付属物１８］
所定の食品と一体に成長した一体成長物の所定の食品とは異なる部分の粉末加工品であり、若しくは、所定の食品と略同一条件で所定の食品とは別体で成長した代替食品と一体に成長した代替一体成長物の所定の食品に対応する部分とは異なる部分の粉末加工品。
【００８１】
［一次産品の付属物１９］
所定の食品の次世代の種子、若しくは、所定の食品と略同一条件で所定の食品とは別体で成長した代替食品の次世代の種子。
【００８２】
［一次産品の付属物２０］
所定の食品の一部、若しくは、所定の食品と略同一条件で所定の食品とは別体で成長した代替食品から得られた種芋。
【００８３】
［一次産品の付属物２１］
所定の食品と略同一条件で所定の食品とは別体で成長した代替食品と、麹、麹菌、紅こうじ、納豆菌、酢酸菌、酵母菌、乳酸菌、塩、醤油、味噌、米糠、酒粕、酢、もろみ、からし、味醂の少なくとも１つを有するもの。
【００８４】
［一次産品の付属物２２］
所定の食品と略同一条件で所定の食品とは別体で成長した代替食品と、麹、麹菌、紅こうじ、納豆菌、酢酸菌、酵母菌、乳酸菌、塩、醤油、味噌、米糠、酒粕、酢、もろみ、からし、味醂の少なくとも１つが共に収容されて構成されたもの。
【００８５】
［一次産品の付属物２３］
所定の食品と略同一条件で所定の食品とは別体で成長した代替食品の粉末と、麹、麹菌、紅こうじ、納豆菌、酢酸菌、酵母菌、乳酸菌、塩、醤油、味噌、米糠、酒粕、酢、もろみ、からし、味醂の少なくとも１つを有するもの。
【００８６】
［一次産品の付属物２４］
所定の食品と略同一条件で所定の食品とは別体で成長した代替食品の粉末と、麹、麹菌、紅こうじ、納豆菌、酢酸菌、酵母菌、乳酸菌、塩、醤油、味噌、米糠、酒粕、酢、もろみ、からし、味醂の少なくとも１つが共に収容されて構成されたもの。
【００８７】
［一次産品の付属物２５］
所定の食品と略同一条件で所定の食品とは別体で成長した代替食品の加工品と、麹、麹菌、紅こうじ、納豆菌、酢酸菌、酵母菌、乳酸菌、塩、醤油、味噌、米糠、酒粕、酢、もろみ、からし、味醂の少なくとも１つを有するもの。
【００８８】
［一次産品の付属物２６］
所定の食品と略同一条件で所定の食品とは別体で成長した代替食品の加工品と、麹、麹菌、紅こうじ、納豆菌、酢酸菌、酵母菌、乳酸菌、塩、醤油、味噌、米糠、酒粕、酢、もろみ、からし、味醂の少なくとも１つが共に収容されて構成されたもの。
【００８９】
［一次産品の付属物２７］
所定の食品と略同一条件で所定の食品とは別体で成長した代替食品の粉末加工品と、麹、麹菌、紅こうじ、納豆菌、酢酸菌、酵母菌、乳酸菌、塩、醤油、味噌、米糠、酒粕、酢、もろみ、からし、味醂の少なくとも１つを有するもの。
【００９０】
［一次産品の付属物２８］
所定の食品と略同一条件で所定の食品とは別体で成長した代替食品の粉末加工品と、麹、麹菌、紅こうじ、納豆菌、酢酸菌、酵母菌、乳酸菌、塩、醤油、味噌、米糠、酒粕、酢、もろみ、からし、味醂の少なくとも１つが共に収容されて構成されたもの。
【００９１】
［一次産品の付属物２９］
所定の食品と略同一条件で所定の食品とは別体で成長した代替食品と一体に成長した代替一体成長物と、麹、麹菌、紅こうじ、納豆菌、酢酸菌、酵母菌、乳酸菌、塩、醤油、味噌、米糠、酒粕、酢、もろみ、からし、味醂の少なくとも１つを有するもの。
【００９２】
［一次産品の付属物３０］
所定の食品と略同一条件で所定の食品とは別体で成長した代替食品と一体に成長した代替一体成長物と、麹、麹菌、紅こうじ、納豆菌、酢酸菌、酵母菌、乳酸菌、塩、醤油、味噌、米糠、酒粕、酢、もろみ、からし、味醂の少なくとも１つが共に収容されて構成されたもの。
【００９３】
［一次産品の付属物３１］
所定の食品と略同一条件で所定の食品とは別体で成長した代替食品と一体に成長した代替一体成長物の粉末と、麹、麹菌、紅こうじ、納豆菌、酢酸菌、酵母菌、乳酸菌、塩、醤油、味噌、米糠、酒粕、酢、もろみ、からし、味醂の少なくとも１つを有するもの。
【００９４】
［一次産品の付属物３２］
所定の食品と略同一条件で所定の食品とは別体で成長した代替食品と一体に成長した代替一体成長物の粉末と、麹、麹菌、紅こうじ、納豆菌、酢酸菌、酵母菌、乳酸菌、塩、醤油、味噌、米糠、酒粕、酢、もろみ、からし、味醂の少なくとも１つが共に収容されて構成されたもの。
【００９５】
［一次産品の付属物３３］
所定の食品と略同一条件で所定の食品とは別体で成長した代替食品と一体に成長した代替一体成長物の加工品と、麹、麹菌、紅こうじ、納豆菌、酢酸菌、酵母菌、乳酸菌、塩、醤油、味噌、米糠、酒粕、酢、もろみ、からし、味醂の少なくとも１つを有するもの。
【００９６】
［一次産品の付属物３４］
所定の食品と略同一条件で所定の食品とは別体で成長した代替食品と一体に成長した代替一体成長物の加工品と、麹、麹菌、紅こうじ、納豆菌、酢酸菌、酵母菌、乳酸菌、塩、醤油、味噌、米糠、酒粕、酢、もろみ、からし、味醂の少なくとも１つが共に収容されて構成されたもの。
【００９７】
［一次産品の付属物３５］
所定の食品と略同一条件で所定の食品とは別体で成長した代替食品と一体に成長した代替一体成長物の粉末加工品と、麹、麹菌、紅こうじ、納豆菌、酢酸菌、酵母菌、乳酸菌、塩、醤油、味噌、米糠、酒粕、酢、もろみ、からし、味醂の少なくとも１つを有するもの。
【００９８】
［一次産品の付属物３６］
所定の食品と略同一条件で所定の食品とは別体で成長した代替食品と一体に成長した代替一体成長物の粉末加工品と、麹、麹菌、紅こうじ、納豆菌、酢酸菌、酵母菌、乳酸菌、塩、醤油、味噌、米糠、酒粕、酢、もろみ、からし、味醂の少なくとも１つが共に収容されて構成されたもの。
【００９９】
［一次産品の付属物３７］
所定の食品と一体に成長した一体成長物の所定の食品とは異なる部分、若しくは、所定の食品と略同一条件で所定の食品とは別体で成長した代替食品と一体に成長した代替一体成長物の所定の食品に対応する部分とは異なる部分と、麹、麹菌、紅こうじ、納豆菌、酢酸菌、酵母菌、乳酸菌、塩、醤油、味噌、米糠、酒粕、酢、もろみ、からし、味醂の少なくとも１つを有するもの。
【０１００】
［一次産品の付属物３８］
所定の食品と一体に成長した一体成長物の所定の食品とは異なる部分、若しくは、所定の食品と略同一条件で所定の食品とは別体で成長した代替食品と一体に成長した代替一体成長物の所定の食品に対応する部分とは異なる部分と、麹、麹菌、紅こうじ、納豆菌、酢酸菌、酵母菌、乳酸菌、塩、醤油、味噌、米糠、酒粕、酢、もろみ、からし、味醂の少なくとも１つが共に収容されて構成されたもの。
【０１０１】
［一次産品の付属物３９］
所定の食品と一体に成長した一体成長物の所定の食品とは異なる部分の粉末、若しくは、所定の食品と略同一条件で所定の食品とは別体で成長した代替食品と一体に成長した代替一体成長物の所定の食品に対応する部分とは異なる部分の粉末と、麹、麹菌、紅こうじ、納豆菌、酢酸菌、酵母菌、乳酸菌、塩、醤油、味噌、米糠、酒粕、酢、もろみ、からし、味醂の少なくとも１つを有するもの。
【０１０２】
［一次産品の付属物４０］
所定の食品と一体に成長した一体成長物の所定の食品とは異なる部分の粉末、若しくは、所定の食品と略同一条件で所定の食品とは別体で成長した代替食品と一体に成長した代替一体成長物の所定の食品に対応する部分とは異なる部分の粉末と、麹、麹菌、紅こうじ、納豆菌、酢酸菌、酵母菌、乳酸菌、塩、醤油、味噌、米糠、酒粕、酢、もろみ、からし、味醂の少なくとも１つが共に収容されて構成されたもの。
【０１０３】
［一次産品の付属物４１］
所定の食品と一体に成長した一体成長物の所定の食品とは異なる部分の加工品、若しくは、所定の食品と略同一条件で所定の食品とは別体で成長した代替食品と一体に成長した代替一体成長物の所定の食品に対応する部分とは異なる部分の加工品と、麹、麹菌、紅こうじ、納豆菌、酢酸菌、酵母菌、乳酸菌、塩、醤油、味噌、米糠、酒粕、酢、もろみ、からし、味醂の少なくとも１つを有するもの。
【０１０４】
［一次産品の付属物４２］
所定の食品と一体に成長した一体成長物の所定の食品とは異なる部分の加工品、若しくは、所定の食品と略同一条件で所定の食品とは別体で成長した代替食品と一体に成長した代替一体成長物の所定の食品に対応する部分とは異なる部分の加工品と、麹、麹菌、紅こうじ、納豆菌、酢酸菌、酵母菌、乳酸菌、塩、醤油、味噌、米糠、酒粕、酢、もろみ、からし、味醂の少なくとも１つが共に収容されて構成されたもの。
【０１０５】
［一次産品の付属物４３］
所定の食品と一体に成長した一体成長物の所定の食品とは異なる部分の粉末加工品、若しくは、所定の食品と略同一条件で所定の食品とは別体で成長した代替食品と一体に成長した代替一体成長物の所定の食品に対応する部分とは異なる部分の粉末加工品と、麹、麹菌、紅こうじ、納豆菌、酢酸菌、酵母菌、乳酸菌、塩、醤油、味噌、米糠、酒粕、酢、もろみ、からし、味醂の少なくとも１つを有するもの。
【０１０６】
［一次産品の付属物４４］
所定の食品と一体に成長した一体成長物の所定の食品とは異なる部分の粉末加工品、若しくは、所定の食品と略同一条件で所定の食品とは別体で成長した代替食品と一体に成長した代替一体成長物の所定の食品に対応する部分とは異なる部分の粉末加工品と、麹、麹菌、紅こうじ、納豆菌、酢酸菌、酵母菌、乳酸菌、塩、醤油、味噌、米糠、酒粕、酢、もろみ、からし、味醂の少なくとも１つが共に収容されて構成されたもの。
【０１０７】
［一次産品の付属物４５］
所定の食品の次世代の種子、若しくは、所定の食品と略同一条件で所定の食品とは別体で成長した代替食品の次世代の種子と、麹、麹菌、紅こうじ、納豆菌、酢酸菌、酵母菌、乳酸菌、塩、醤油、味噌、米糠、酒粕、酢、もろみ、からし、味醂の少なくとも１つを有するもの。
【０１０８】
［一次産品の付属物４６］
所定の食品の次世代の種子、若しくは、所定の食品と略同一条件で所定の食品とは別体で成長した代替食品の次世代の種子と、麹、麹菌、紅こうじ、納豆菌、酢酸菌、酵母菌、乳酸菌、塩、醤油、味噌、米糠、酒粕、酢、もろみ、からし、味醂の少なくとも１つが共に収容されて構成されたもの。
【０１０９】
［一次産品の付属物４７］
所定の食品の一部、若しくは、所定の食品と略同一条件で所定の食品とは別体で成長した代替食品から得られた種芋と、麹、麹菌、紅こうじ、納豆菌、酢酸菌、酵母菌、乳酸菌、塩、醤油、味噌、米糠、酒粕、酢、もろみ、からし、味醂の少なくとも１つを有するもの。
【０１１０】
［一次産品の付属物４８］
所定の食品の一部、若しくは、所定の食品と略同一条件で所定の食品とは別体で成長した代替食品から得られた種芋と、麹、麹菌、紅こうじ、納豆菌、酢酸菌、酵母菌、乳酸菌、塩、醤油、味噌、米糠、酒粕、酢、もろみ、からし、味醂の少なくとも１つが共に収容されて構成されたもの。
【０１１１】
［一次産品の付属物４９］
所定の食品の一部であり、若しくは、所定の食品と略同一条件で所定の食品とは別体で成長した代替食品であり、若しくは、所定の食品と一体に成長した一体成長物の所定の食品とは異なる部分であり、若しくは、所定の食品と略同一条件で所定の食品とは別体で成長した代替食品と一体に成長した代替一体成長物の所定の食品に対応する部分とは異なる部分である付属物本体が、水と共に収容されて構成されたもの。
【０１１２】
［一次産品の付属物５０］
所定の食品の一部であり、若しくは、所定の食品と略同一条件で所定の食品とは別体で成長した代替食品であり、若しくは、所定の食品と一体に成長した一体成長物の所定の食品とは異なる部分であり、若しくは、所定の食品と略同一条件で所定の食品とは別体で成長した代替食品と一体に成長した代替一体成長物の所定の食品に対応する部分とは異なる部分である付属物本体が、水と共に収容されると共に、アンモニアセンサーを有して構成されたもの。
【０１１３】
［一次産品の付属物５１］
所定の食品の収穫後に使用された農薬。
【０１１４】
［一次産品の付属物５２］
所定の食品の生産の後に同所定の食品に関与した燻蒸剤、消毒剤、殺菌剤、抗菌剤、防かび剤、防腐剤、被膜剤、酸化防止剤、除草剤、殺虫剤、漂白殺菌剤、若しくは、薬剤の少なくとも１つ。
【０１１５】
［一次産品の付属物５３］
所定の食品の生産の後に同所定の食品に関与した動物用食品添加物、若しくは、成長ホルモン剤の少なくとも１つ。
【０１１６】
［一次産品の付属物５４］
所定の食品の生産と略同時期に略同一環境で成長した海藻、草、魚介類の少なくとも１つ。
【０１１７】
また、「所定の商品」が食品（二次産品）である場合の「食品の品質理解のための情報」や、「所定のサービス」が食品（二次産品）の提供（例えば、レストラン）である場合の「サービスの品質理解のための情報」としては、例えば、以下の示す付属物の情報が挙げられる。なお、食品以外の商品（二次産品）や、食品以外の商品（二次産品）の提供である場合の付属物については、以下の付属物の説明中の「食品」を「商品」に読み替えるものとする。
【０１１８】
［二次産品の付属物１］
所定の食品の原料。
【０１１９】
［二次産品の付属物２］
所定の食品の原料と略同一条件で所定の食品の原料とは別体で成長した代替原料。
【０１２０】
［二次産品の付属物３］
所定の食品の原料と略同一条件で所定の食品の原料とは別体で成長した代替原料の粉末。
【０１２１】
［二次産品の付属物４］
所定の食品の原料と略同一条件で所定の食品の原料とは別体で成長した代替原料の加工品。
【０１２２】
［二次産品の付属物５］
所定の食品の原料と略同一条件で所定の食品の原料とは別体で成長した代替原料の粉末加工品。
【０１２３】
［二次産品の付属物６］
所定の食品の原料と略同一条件で所定の食品の原料とは別体で成長した代替原料と一体に成長した代替一体成長物。
【０１２４】
［二次産品の付属物７］
所定の食品の原料と略同一条件で所定の食品の原料とは別体で成長した代替原料と一体に成長した代替一体成長物の粉末。
【０１２５】
［二次産品の付属物８］
所定の食品の原料と略同一条件で所定の食品の原料とは別体で成長した代替原料と一体に成長した代替一体成長物の加工品。
【０１２６】
［二次産品の付属物９］
所定の食品の原料と略同一条件で所定の食品の原料とは別体で成長した代替原料と一体に成長した代替一体成長物の粉末加工品。
【０１２７】
［二次産品の付属物１０］
所定の食品の原料である卵。
【０１２８】
［二次産品の付属物１１］
所定の食品の原料である卵と略同一条件で生産された代替卵。
【０１２９】
［二次産品の付属物１２］
所定の食品の生産に関与した乳酸菌、ビフィズス菌、麹、麹菌、若しくは、枯草菌の少なくとも１つ。
【０１３０】
［二次産品の付属物１３］
所定の食品の生産に関与した木樽、瓶、プラスチック製容器、若しくは、漬け床。
【０１３１】
［二次産品の付属物１４］
所定の食品の原料の生産に関与した土壌、水、海水、海底水、アルカリ水、海底水から採取した塩、海底泥、海藻、塩、肥料、土壌消毒剤、殺菌剤、抗菌剤、農薬、種子、土壌中の生き物、水中の生き物、草、養殖用飼料、昆虫類、忌避植物、飼料、赤身肉化剤、抗生物質、成長ホルモン剤、ビニールハウスのビニールと略同質のビニールの少なくとも１つ。
【０１３２】
［二次産品の付属物１５］
所定の食品の原料の生産地における種まきや苗植え前の土壌、及び、所定の食品の原料の生産地における収穫後の土壌。
【０１３３】
［二次産品の付属物１６］
所定の食品の原料の生産に関与した土壌、水、海水、海底水、アルカリ水、海底水から採取した塩、海藻の少なくとも１つである生産関与物本体と、該生産関与物本体の採取地の情報である採取地情報とを有するもの。
【０１３４】
［二次産品の付属物１７］
所定の食品の原料の生産地で得られた草。
【０１３５】
［二次産品の付属物１８］
所定の食品の原料の生産に関与した外国産の飼料である草、所定の食品の原料の生産に関与した国内産の飼料である草、所定の食品の原料の生産に関与した外国産の穀物飼料、所定の食品の原料の生産に関与した国内産の穀物飼料の少なくとも１つ。
【０１３６】
［二次産品の付属物１９］
所定の食品の原料の生産に関与した飼料と略同一であり、穀物部分と、抗生物質及び成
長ホルモン剤部分とが別個の状態に構成されたもの。
【０１３７】
［二次産品の付属物２０］
所定の食品の生産に関与した木樽の木片、所定の食品の生産に関与した木樽と略同一条件の木樽の木片、所定の食品の生産に関与した木樽の構成材と同一種類の木片、所定の食品を生産した木樽の中に同所定の食品と共に入れられた前記木樽の構成材と同一種類の木片、所定の食品に含まれる汁、若しくは、所定の食品の生産に関与した汁の少なくとも１つ。
【０１３８】
［二次産品の付属物２１］
所定の食品の原料と一体に成長した一体成長物の所定の食品の原料とは異なる部分であり、若しくは、所定の食品の原料と略同一条件で所定の食品の原料とは別体で成長した代替原料と一体に成長した代替一体成長物の所定の食品の原料に対応する部分とは異なる部分。
【０１３９】
［二次産品の付属物２２］
所定の食品の原料と一体に成長した一体成長物の所定の食品の原料とは異なる部分の粉末であり、若しくは、所定の食品の原料と略同一条件で所定の食品の原料とは別体で成長した代替原料と一体に成長した代替一体成長物の所定の食品の原料に対応する部分とは異なる部分の粉末。
【０１４０】
［二次産品の付属物２３］
所定の食品の原料と一体に成長した一体成長物の所定の食品の原料とは異なる部分の加工品であり、若しくは、所定の食品の原料と略同一条件で所定の食品の原料とは別体で成長した代替原料と一体に成長した代替一体成長物の所定の食品の原料に対応する部分とは異なる部分の加工品。
【０１４１】
［二次産品の付属物２４］
所定の食品の原料と一体に成長した一体成長物の所定の食品の原料とは異なる部分の粉末加工品であり、若しくは、所定の食品の原料と略同一条件で所定の食品の原料とは別体で成長した代替原料と一体に成長した代替一体成長物の所定の食品の原料に対応する部分とは異なる部分の粉末加工品。
【０１４２】
［二次産品の付属物２５］
所定の食品に用いられた食品添加物の総重量と同じ重量の食品添加物、所定の食品に用いられた食品添加物の総重量と同じ重量の擬似物、所定の食品に用いられた食品添加物の総体積と同じ体積の食品添加物、所定の食品に用いられた食品添加物の総体積と同じ体積の擬似物、所定の食品に用いられた食品添加物の総体積と見かけ上同じ体積の食品添加物、所定の食品に用いられた食品添加物の総体積と見かけ上同じ体積の擬似物、所定の食品に用いられた砂糖の総重量と同じ重量の砂糖、所定の食品に用いられた砂糖の総重量と同じ重量の擬似物、所定の食品に用いられた砂糖の総体積と同じ体積の砂糖、所定の食品に用いられた砂糖の総体積と同じ体積の擬似物、所定の食品に用いられた砂糖の総体積と見かけ上同じ体積の砂糖、所定の食品に用いられた砂糖の総体積と見かけ上同じ体積の擬似物、所定の食品に用いられた塩の総重量と同じ重量の塩、所定の食品に用いられた塩の総重量と同じ重量の擬似物、所定の食品に用いられた塩の総体積と同じ体積の塩、所定の食品に用いられた塩の総体積と同じ体積の擬似物、所定の食品に用いられた塩の総体積と見かけ上同じ体積の塩、所定の食品に用いられた塩の総体積と見かけ上同じ体積の擬似物、所定の食品に用いられたタンパク加水分解物の総重量と同じ重量のタンパク加水分解物、所定の食品に用いられたタンパク加水分解物の総重量と同じ重量の擬似物、所定の食品に用いられたタンパク加水分解物の総体積と同じ体積のタンパク加水分解物、所定の食品に用いられたタンパク加水分解物の総体積と同じ体積の擬似物、所定の食品に用いられたタンパク加水分解物の総体積と見かけ上同じ体積のタンパク加水分解物、所定の食品に用いられたタンパク加水分解物の総体積と見かけ上同じ体積の擬似物、所定の食品に用いられた調味料の総重量と同じ重量の調味料、所定の食品に用いられた調味料の総重量と同じ重量の擬似物、所定の食品に用いられた調味料の総体積と同じ体積の調味料、所定の食品に用いられた調味料の総体積と同じ体積の擬似物、所定の食品に用いられた調味料の総体積と見かけ上同じ体積の調味料、所定の食品に用いられた調味料の総体積と見かけ上同じ体積の擬似物、所定の食品に用いられたブドウ糖果糖液糖の総重量と同じ重量のブドウ糖果糖液糖、所定の食品に用いられたブドウ糖果糖液糖の総重量と同じ重量の擬似物、所定の食品に用いられたブドウ糖果糖液糖の総体積と同じ体積のブドウ糖果糖液糖、所定の食品に用いられたブドウ糖果糖液糖の総体積と同じ体積の擬似物、所定の食品に用いられたブドウ糖果糖液糖の総体積と見かけ上同じ体積のブドウ糖果糖液糖、所定の食品に用いられたブドウ糖果糖液糖の総体積と見かけ上同じ体積の擬似物、所定の食品に用いられた加工油脂の総重量と同じ重量の加工油脂、所定の食品に用いられた加工油脂の総重量と同じ重量の擬似物、所定の食品に用いられた加工油脂の総体積と同じ体積の加工油脂、所定の食品に用いられた加工油脂の総体積と同じ体積の擬似物、所定の食品に用いられた加工油脂の総体積と見かけ上同じ体積の加工油脂、所定の食品に用いられた加工油脂の総体積と見かけ上同じ体積の擬似物、所定の食品に用いられたトランス脂肪酸の総重量と同じ重量のトランス脂肪酸、所定の食品に用いられたトランス脂肪酸の総重量と同じ重量の擬似物、所定の食品に用いられたトランス脂肪酸の総体積と同じ体積のトランス脂肪酸、所定の食品に用いられたトランス脂肪酸の総体積と同じ体積の擬似物、所定の食品に用いられたトランス脂肪酸の総体積と見かけ上同じ体積のトランス脂肪酸、所定の食品に用いられたトランス脂肪酸の総体積と見かけ上同じ体積の擬似物、所定の食品に用いられた加工デンプンの総重量と同じ重量の加工デンプン、所定の食品に用いられた加工デンプンの総重量と同じ重量の擬似物、所定の食品に用いられた加工デンプンの総体積と同じ体積の加工デンプン、所定の食品に用いられた加工デンプンの総体積と同じ体積の擬似物、所定の食品に用いられた加工デンプンの総体積と見かけ上同じ体積の加工デンプン、所定の食品に用いられた加工デンプンの総体積と見かけ上同じ体積の擬似物、所定の食品に用いられた食品添加物のうち一括名の表示が認められた食品添加物の総重量と同じ重量の食品添加物、所定の食品に用いられた食品添加物のうち一括名の表示が認められた食品添加物の総重量と同じ重量の擬似物、所定の食品に用いられた食品添加物のうち一括名の表示が認められた食品添加物の総体積と同じ体積の食品添加物、所定の食品に用いられた食品添加物のうち一括名の表示が認められた食品添加物の総体積と同じ体積の擬似物、所定の食品に用いられた食品添加物のうち一括名の表示が認められた食品添加物の総体積と見かけ上同じ体積の食品添加物、所定の食品に用いられた食品添加物のうち一括名の表示が認められた食品添加物の総体積と見かけ上同じ体積の擬似物、所定の食品に用いられた合成ビタミンの総重量と同じ重量の合成ビタミン、所定の食品に用いられた合成ビタミンの総重量と同じ重量の擬似物、所定の食品に用いられた合成ビタミンの総体積と同じ体積の合成ビタミン、所定の食品に用いられた合成ビタミンの総体積と同じ体積の擬似物、所定の食品に用いられた合成ビタミンの総体積と見かけ上同じ体積の合成ビタミン、所定の食品に用いられた合成ビタミンの総体積と見かけ上同じ体積の擬似物、所定の食品に用いられた食品添加物のうちキャリーオーバーとみなされた食品添加物の総重量と同じ重量の食品添加物、所定の食品に用いられた食品添加物のうちキャリーオーバーとみなされた食品添加物の総重量と同じ重量の擬似物、所定の食品に用いられた食品添加物のうちキャリーオーバーとみなされた食品添加物の総体積と同じ体積の食品添加物、所定の食品に用いられた食品添加物のうちキャリーオーバーとみなされた食品添加物の総体積と同じ体積の擬似物、所定の食品に用いられた食品添加物のうちキャリーオーバーとみなされた食品添加物の総体積と見かけ上同じ体積の食品添加物、所定の食品に用いられた食品添加物のうちキャリーオーバーとみなされた食品添加物の総体積と見かけ上同じ体積の擬似物、所定の食品に用いられた食品添加物のうちキャリーオーバーとみなされた食品添加物を除く食品添加物の総重量と同じ重量の食品添加物、所定の食品に用いられた食品添加物のうちキャリーオーバーとみなされた食品添加物を除く食品添加物の総重量と同じ重量の擬似物、所定の食品に用いられた食品添加物のうちキャリーオーバーとみなされた食品添加物を除く食品添加物の総体積と同じ体積の食品添加物、所定の食品に用いられた食品添加物のうちキャリーオーバーとみなされた食品添加物を除く食品添加物の総体積と同じ体積の擬似物、所定の食品に用いられた食品添加物のうちキャリーオーバーとみなされた食品添加物を除く食品添加物の総体積と見かけ上同じ体積の食品添加物、所定の食品に用いられた食品添加物のうちキャリーオーバーとみなされた食品添加物を除く食品添加物の総体積と見かけ上同じ体積の擬似物、所定の食品に用いられた脱脂加工大豆の総重量と同じ重量の脱脂加工大豆、所定の食品に用いられた脱脂加工大豆の総重量と同じ重量の擬似物、所定の食品に用いられた脱脂加工大豆の総体積と同じ体積の脱脂加工大豆、所定の食品に用いられた脱脂加工大豆の総体積と同じ体積の擬似物、所定の食品に用いられた脱脂加工大豆の総体積と見かけ上同じ体積の脱脂加工大豆、所定の食品に用いられた脱脂加工大豆の総体積と見かけ上同じ体積の擬似物、所定の食品に用いられたリン酸塩の総重量と同じ重量のリン酸塩、所定の食品に用いられたリン酸塩の総重量と同じ重量の擬似物、所定の食品に用いられたリン酸塩の総体積と同じ体積のリン酸塩、所定の食品に用いられたリン酸塩の総体積と同じ体積の擬似物、所定の食品に用いられたリン酸塩の総体積と見かけ上同じ体積のリン酸塩、所定の食品に用いられたリン酸塩の総体積と見かけ上同じ体積の擬似物、所定の食品に用いられたソルビン酸の総重量と同じ重量のソルビン酸、所定の食品に用いられたソルビン酸の総重量と同じ重量の擬似物、所定の食品に用いられたソルビン酸の総体積と同じ体積のソルビン酸、所定の食品に用いられたソルビン酸の総体積と同じ体積の擬似物、所定の食品に用いられたソルビン酸の総体積と見かけ上同じ体積のソルビン酸、所定の食品に用いられたソルビン酸の総体積と見かけ上同じ体積の擬似物、所定の食品に用いられたアスパルテームの総重量と同じ重量のアスパルテーム、所定の食品に用いられたアスパルテームの総重量と同じ重量の擬似物、所定の食品に用いられたアスパルテームの総体積と同じ体積のアスパルテーム、所定の食品に用いられたアスパルテームの総体積と同じ体積の擬似物、所定の食品に用いられたアスパルテームの総体積と見かけ上同じ体積のアスパルテーム、所定の食品に用いられたアスパルテームの総体積と見かけ上同じ体積の擬似物の少なくとも１つ。
【０１４３】
［二次産品の付属物２６］
所定の機能別若しくは所定の用途別に分類された所定の食品に用いられた食品添加物の少なくとも一部。
【０１４４】
［二次産品の付属物２７］
所定の食品に用いられた食品添加物の総重量に所定の割合を乗じて得られた重量と同じ重量の食品添加物、所定の食品に用いられた食品添加物の総重量に所定の割合を乗じて得られた重量と同じ重量の擬似物、所定の食品に用いられた食品添加物の総体積に所定の割合を乗じて得られた体積と同じ体積の食品添加物、所定の食品に用いられた食品添加物の総体積に所定の割合を乗じて得られた体積と同じ体積の擬似物、所定の食品に用いられた食品添加物の総体積に所定の割合を乗じて得られた体積と見かけ上同じ体積の食品添加物、所定の食品に用いられた食品添加物の総体積に所定の割合を乗じて得られた体積と見かけ上同じ体積の擬似物、所定の食品に用いられた砂糖の総重量に所定の割合を乗じて得られた重量と同じ重量の砂糖、所定の食品に用いられた砂糖の総重量に所定の割合を乗じて得られた重量と同じ重量の擬似物、所定の食品に用いられた砂糖の総体積に所定の割合を乗じて得られた体積と同じ体積の砂糖、所定の食品に用いられた砂糖の総体積に所定の割合を乗じて得られた体積と同じ体積の擬似物、所定の食品に用いられた砂糖の総体積に所定の割合を乗じて得られた体積と見かけ上同じ体積の砂糖、所定の食品に用いられた砂糖の総体積に所定の割合を乗じて得られた体積と見かけ上同じ体積の擬似物、所定の食品に用いられた塩の総重量に所定の割合を乗じて得られた重量と同じ重量の塩、所定の食品に用いられた塩の総重量に所定の割合を乗じて得られた重量と同じ重量の擬似物、所定の食品に用いられた塩の総体積に所定の割合を乗じて得られた体積と同じ体積の塩、所定の食品に用いられた塩の総体積に所定の割合を乗じて得られた体積と同じ体積の擬似物、所定の食品に用いられた塩の総体積に所定の割合を乗じて得られた体積と見かけ上同じ体積の塩、所定の食品に用いられた塩の総体積に所定の割合を乗じて得られた体積と見かけ上同じ体積の擬似物、所定の食品に用いられたタンパク加水分解物の総重量に所定の割合を乗じて得られた重量と同じ重量のタンパク加水分解物、所定の食品に用いられたタンパク加水分解物の総重量に所定の割合を乗じて得られた重量と同じ重量の擬似物、所定の食品に用いられたタンパク加水分解物の総体積に所定の割合を乗じて得られた体積と同じ体積のタンパク加水分解物、所定の食品に用いられたタンパク加水分解物の総体積に所定の割合を乗じて得られた体積と同じ体積の擬似物、所定の食品に用いられたタンパク加水分解物の総体積に所定の割合を乗じて得られた体積と見かけ上同じ体積のタンパク加水分解物、所定の食品に用いられたタンパク加水分解物の総体積に所定の割合を乗じて得られた体積と見かけ上同じ体積の擬似物、所定の食品に用いられた調味料の総重量に所定の割合を乗じて得られた重量と同じ重量の調味料、所定の食品に用いられた調味料の総重量に所定の割合を乗じて得られた重量と同じ重量の擬似物、所定の食品に用いられた調味料の総体積に所定の割合を乗じて得られた体積と同じ体積の調味料、所定の食品に用いられた調味料の総体積に所定の割合を乗じて得られた体積と同じ体積の擬似物、所定の食品に用いられた調味料の総体積に所定の割合を乗じて得られた体積と見かけ上同じ体積の調味料、所定の食品に用いられた調味料の総体積に所定の割合を乗じて得られた体積と見かけ上同じ体積の擬似物、所定の食品に用いられたブドウ糖果糖液糖の総重量に所定の割合を乗じて得られた重量と同じ重量のブドウ糖果糖液糖、所定の食品に用いられたブドウ糖果糖液糖の総重量に所定の割合を乗じて得られた重量と同じ重量の擬似物、所定の食品に用いられたブドウ糖果糖液糖の総体積に所定の割合を乗じて得られた体積と同じ体積のブドウ糖果糖液糖、所定の食品に用いられたブドウ糖果糖液糖の総体積に所定の割合を乗じて得られた体積と同じ体積の擬似物、所定の食品に用いられたブドウ糖果糖液糖の総体積に所定の割合を乗じて得られた体積と見かけ上同じ体積のブドウ糖果糖液糖、所定の食品に用いられたブドウ糖果糖液糖の総体積に所定の割合を乗じて得られた体積と見かけ上同じ体積の擬似物、所定の食品に用いられた加工油脂の総重量に所定の割合を乗じて得られた重量と同じ重量の加工油脂、所定の食品に用いられた加工油脂の総重量に所定の割合を乗じて得られた重量と同じ重量の擬似物、所定の食品に用いられた加工油脂の総体積に所定の割合を乗じて得られた体積と同じ体積の加工油脂、所定の食品に用いられた加工油脂の総体積に所定の割合を乗じて得られた体積と同じ体積の擬似物、所定の食品に用いられた加工油脂の総体積に所定の割合を乗じて得られた体積と見かけ上同じ体積の加工油脂、所定の食品に用いられた加工油脂の総体積に所定の割合を乗じて得られた体積と見かけ上同じ体積の擬似物、所定の食品に用いられたトランス脂肪酸の総重量に所定の割合を乗じて得られた重量と同じ重量のトランス脂肪酸、所定の食品に用いられたトランス脂肪酸の総重量に所定の割合を乗じて得られた重量と同じ重量の擬似物、所定の食品に用いられたトランス脂肪酸の総体積に所定の割合を乗じて得られた体積と同じ体積のトランス脂肪酸、所定の食品に用いられたトランス脂肪酸の総体積に所定の割合を乗じて得られた体積と同じ体積の擬似物、所定の食品に用いられたトランス脂肪酸の総体積に所定の割合を乗じて得られた体積と見かけ上同じ体積のトランス脂肪酸、所定の食品に用いられたトランス脂肪酸の総体積に所定の割合を乗じて得られた体積と見かけ上同じ体積の擬似物、所定の食品に用いられた加工デンプンの総重量に所定の割合を乗じて得られた重量と同じ重量の加工デンプン、所定の食品に用いられた加工デンプンの総重量に所定の割合を乗じて得られた重量と同じ重量の擬似物、所定の食品に用いられた加工デンプンの総体積に所定の割合を乗じて得られた体積と同じ体積の加工デンプン、所定の食品に用いられた加工デンプンの総体積に所定の割合を乗じて得られた体積と同じ体積の擬似物、所定の食品に用いられた加工デンプンの総体積に所定の割合を乗じて得られた体積と見かけ上同じ体積の加工デンプン、所定の食品に用いられた加工デンプンの総体積に所定の割合を乗じて得られた体積と見かけ上同じ体積の擬似物、所定の食品に用いられた食品添加物のうち一括名の表示が認められた食品添加物の総重量に所定の割合を乗じて得られた重量と同じ重量の食品添加物、所定の食品に用いられた食品添加物のうち一括名の表示が認められた食品添加物の総重量に所定の割合を乗じて得られた重量と同じ重量の擬似物、所定の食品に用いられた食品添加物のうち一括名の表示が認められた食品添加物の総体積に所定の割合を乗じて得られた体積と同じ体積の食品添加物、所定の食品に用いられた食品添加物のうち一括名の表示が認められた食品添加物の総体積に所定の割合を乗じて得られた体積と同じ体積の擬似物、所定の食品に用いられた食品添加物のうち一括名の表示が認められた食品添加物の総体積に所定の割合を乗じて得られた体積と見かけ上同じ体積の食品添加物、所定の食品に用いられた食品添加物のうち一括名の表示が認められた食品添加物の総体積に所定の割合を乗じて得られた体積と見かけ上同じ体積の擬似物、所定の食品に用いられた合成ビタミンの総重量に所定の割合を乗じて得られた重量と同じ重量の合成ビタミン、所定の食品に用いられた合成ビタミンの総重量に所定の割合を乗じて得られた重量と同じ重量の擬似物、所定の食品に用いられた合成ビタミンの総体積に所定の割合を乗じて得られた体積と同じ体積の合成ビタミン、所定の食品に用いられた合成ビタミンの総体積に所定の割合を乗じて得られた体積と同じ体積の擬似物、所定の食品に用いられた合成ビタミンの総体積に所定の割合を乗じて得られた体積と見かけ上同じ体積の合成ビタミン、所定の食品に用いられた合成ビタミンの総体積に所定の割合を乗じて得られた体積と見かけ上同じ体積の擬似物、所定の食品に用いられた食品添加物のうちキャリーオーバーとみなされた食品添加物の総重量に所定の割合を乗じて得られた重量と同じ重量の食品添加物、所定の食品に用いられた食品添加物のうちキャリーオーバーとみなされた食品添加物の総重量に所定の割合を乗じて得られた重量と同じ重量の擬似物、所定の食品に用いられた食品添加物のうちキャリーオーバーとみなされた食品添加物の総体積に所定の割合を乗じて得られた体積と同じ体積の食品添加物、所定の食品に用いられた食品添加物のうちキャリーオーバーとみなされた食品添加物の総体積に所定の割合を乗じて得られた体積と同じ体積の擬似物、所定の食品に用いられた食品添加物のうちキャリーオーバーとみなされた食品添加物の総体積に所定の割合を乗じて得られた体積と見かけ上同じ体積の食品添加物、所定の食品に用いられた食品添加物のうちキャリーオーバーとみなされた食品添加物の総体積に所定の割合を乗じて得られた体積と見かけ上同じ体積の擬似物、所定の食品に用いられた食品添加物のうちキャリーオーバーとみなされた食品添加物を除く食品添加物の総重量に所定の割合を乗じて得られた重量と同じ重量の食品添加物、所定の食品に用いられた食品添加物のうちキャリーオーバーとみなされた食品添加物を除く食品添加物の総重量に所定の割合を乗じて得られた重量と同じ重量の擬似物、所定の食品に用いられた食品添加物のうちキャリーオーバーとみなされた食品添加物を除く食品添加物の総体積に所定の割合を乗じて得られた体積と同じ体積の食品添加物、所定の食品に用いられた食品添加物のうちキャリーオーバーとみなされた食品添加物を除く食品添加物の総体積に所定の割合を乗じて得られた体積と同じ体積の擬似物、所定の食品に用いられた食品添加物のうちキャリーオーバーとみなされた食品添加物を除く食品添加物の総体積に所定の割合を乗じて得られた体積と見かけ上同じ体積の食品添加物、所定の食品に用いられた食品添加物のうちキャリーオーバーとみなされた食品添加物を除く食品添加物の総体積に所定の割合を乗じて得られた体積と見かけ上同じ体積の擬似物、所定の食品に用いられた脱脂加工大豆の総重量に所定の割合を乗じて得られた重量と同じ重量の脱脂加工大豆、所定の食品に用いられた脱脂加工大豆の総重量に所定の割合を乗じて得られた重量と同じ重量の擬似物、所定の食品に用いられた脱脂加工大豆の総体積に所定の割合を乗じて得られた体積と同じ体積の脱脂加工大豆、所定の食品に用いられた脱脂加工大豆の総体積に所定の割合を乗じて得られた体積と同じ体積の擬似物、所定の食品に用いられた脱脂加工大豆の総体積に所定の割合を乗じて得られた体積と見かけ上同じ体積の脱脂加工大豆、所定の食品に用いられた脱脂加工大豆の総体積に所定の割合を乗じて得られた体積と見かけ上同じ体積の擬似物、所定の食品に用いられたリン酸塩の総重量に所定の割合を乗じて得られた重量と同じ重量のリン酸塩、所定の食品に用いられたリン酸塩の総重量に所定の割合を乗じて得られた重量と同じ重量の擬似物、所定の食品に用いられたリン酸塩の総体積に所定の割合を乗じて得られた体積と同じ体積のリン酸塩、所定の食品に用いられたリン酸塩の総体積に所定の割合を乗じて得られた体積と同じ体積の擬似物、所定の食品に用いられたリン酸塩の総体積に所定の割合を乗じて得られた体積と見かけ上同じ体積のリン酸塩、所定の食品に用いられたリン酸塩の総体積に所定の割合を乗じて得られた体積と見かけ上同じ体積の擬似物、所定の食品に用いられたソルビン酸の総重量に所定の割合を乗じて得られた重量と同じ重量のソルビン酸、所定の食品に用いられたソルビン酸の総重量に所定の割合を乗じて得られた重量と同じ重量の擬似物、所定の食品に用いられたソルビン酸の総体積に所定の割合を乗じて得られた体積と同じ体積のソルビン酸、所定の食品に用いられたソルビン酸の総体積に所定の割合を乗じて得られた体積と同じ体積の擬似物、所定の食品に用いられたソルビン酸の総体積に所定の割合を乗じて得られた体積と見かけ上同じ体積のソルビン酸、所定の食品に用いられたソルビン酸の総体積に所定の割合を乗じて得られた体積と見かけ上同じ体積の擬似物、所定の食品に用いられたアスパルテームの総重量に所定の割合を乗じて得られた重量と
同じ重量のアスパルテーム、所定の食品に用いられたアスパルテームの総重量に所定の割合を乗じて得られた重量と同じ重量の擬似物、所定の食品に用いられたアスパルテームの総体積に所定の割合を乗じて得られた体積と同じ体積のアスパルテーム、所定の食品に用いられたアスパルテームの総体積に所定の割合を乗じて得られた体積と同じ体積の擬似物、所定の食品に用いられたアスパルテームの総体積に所定の割合を乗じて得られた体積と見かけ上同じ体積のアスパルテーム、所定の食品に用いられたアスパルテームの総体積に所定の割合を乗じて得られた体積と見かけ上同じ体積の擬似物の少なくとも１つと、前記所定の割合を表示した表示物。
【０１４５】
［二次産品の付属物２８］
所定の食品の原料の次世代の種子、若しくは、所定の食品の原料と略同一条件で所定の食品の原料とは別体で成長した代替原料の次世代の種子。
【０１４６】
［二次産品の付属物２９］
所定の食品の原料の一部、若しくは、所定の食品の原料と略同一条件で所定の食品の原料とは別体で成長した代替原料から得られた種芋。
【０１４７】
［二次産品の付属物３０］
所定の食品の原料と、麹、麹菌、紅こうじ、納豆菌、酢酸菌、酵母菌、乳酸菌、塩、醤油、味噌、米糠、酒粕、酢、もろみ、からし、味醂の少なくとも１つを有するもの。
【０１４８】
［二次産品の付属物３１］
所定の食品の原料と、麹、麹菌、紅こうじ、納豆菌、酢酸菌、酵母菌、乳酸菌、塩、醤油、味噌、米糠、酒粕、酢、もろみ、からし、味醂の少なくとも１つが共に収容されて構成されたもの。
【０１４９】
［二次産品の付属物３２］
所定の食品の原料と略同一条件で所定の食品の原料とは別体で成長した代替原料と、麹、麹菌、紅こうじ、納豆菌、酢酸菌、酵母菌、乳酸菌、塩、醤油、味噌、米糠、酒粕、酢、もろみ、からし、味醂の少なくとも１つを有するもの。
【０１５０】
［二次産品の付属物３３］
所定の食品の原料と略同一条件で所定の食品の原料とは別体で成長した代替原料と、麹、麹菌、紅こうじ、納豆菌、酢酸菌、酵母菌、乳酸菌、塩、醤油、味噌、米糠、酒粕、酢、もろみ、からし、味醂の少なくとも１つが共に収容されて構成されたもの。
【０１５１】
［二次産品の付属物３４］
所定の食品の原料と略同一条件で所定の食品の原料とは別体で成長した代替原料の粉末と、麹、麹菌、紅こうじ、納豆菌、酢酸菌、酵母菌、乳酸菌、塩、醤油、味噌、米糠、酒粕、酢、もろみ、からし、味醂の少なくとも１つを有するもの。
【０１５２】
［二次産品の付属物３５］
所定の食品の原料と略同一条件で所定の食品の原料とは別体で成長した代替原料の粉末と、麹、麹菌、紅こうじ、納豆菌、酢酸菌、酵母菌、乳酸菌、塩、醤油、味噌、米糠、酒粕、酢、もろみ、からし、味醂の少なくとも１つが共に収容されて構成されたもの。
【０１５３】
［二次産品の付属物３６］
所定の食品の原料と略同一条件で所定の食品の原料とは別体で成長した代替原料の加工品と、麹、麹菌、紅こうじ、納豆菌、酢酸菌、酵母菌、乳酸菌、塩、醤油、味噌、米糠、酒粕、酢、もろみ、からし、味醂の少なくとも１つを有するもの。
【０１５４】
［二次産品の付属物３７］
所定の食品の原料と略同一条件で所定の食品の原料とは別体で成長した代替原料の加工品と、麹、麹菌、紅こうじ、納豆菌、酢酸菌、酵母菌、乳酸菌、塩、醤油、味噌、米糠、酒粕、酢、もろみ、からし、味醂の少なくとも１つが共に収容されて構成されたもの。
【０１５５】
［二次産品の付属物３８］
所定の食品の原料と略同一条件で所定の食品の原料とは別体で成長した代替原料の粉末加工品と、麹、麹菌、紅こうじ、納豆菌、酢酸菌、酵母菌、乳酸菌、塩、醤油、味噌、米糠、酒粕、酢、もろみ、からし、味醂の少なくとも１つを有するもの。
【０１５６】
［二次産品の付属物３９］
所定の食品の原料と略同一条件で所定の食品の原料とは別体で成長した代替原料の粉末加工品と、麹、麹菌、紅こうじ、納豆菌、酢酸菌、酵母菌、乳酸菌、塩、醤油、味噌、米糠、酒粕、酢、もろみ、からし、味醂の少なくとも１つが共に収容されて構成されたもの。
【０１５７】
［二次産品の付属物４０］
所定の食品の原料と略同一条件で所定の食品の原料とは別体で成長した代替原料と一体に成長した代替一体成長物と、麹、麹菌、紅こうじ、納豆菌、酢酸菌、酵母菌、乳酸菌、塩、醤油、味噌、米糠、酒粕、酢、もろみ、からし、味醂の少なくとも１つを有するもの。
【０１５８】
［二次産品の付属物４１］
所定の食品の原料と略同一条件で所定の食品の原料とは別体で成長した代替原料と一体に成長した代替一体成長物と、麹、麹菌、紅こうじ、納豆菌、酢酸菌、酵母菌、乳酸菌、塩、醤油、味噌、米糠、酒粕、酢、もろみ、からし、味醂の少なくとも１つが共に収容されて構成されたもの。
【０１５９】
［二次産品の付属物４２］
所定の食品の原料と略同一条件で所定の食品の原料とは別体で成長した代替原料と一体に成長した代替一体成長物の粉末と、麹、麹菌、紅こうじ、納豆菌、酢酸菌、酵母菌、乳酸菌、塩、醤油、味噌、米糠、酒粕、酢、もろみ、からし、味醂の少なくとも１つを有するもの。
【０１６０】
［二次産品の付属物４３］
所定の食品の原料と略同一条件で所定の食品の原料とは別体で成長した代替原料と一体に成長した代替一体成長物の粉末と、麹、麹菌、紅こうじ、納豆菌、酢酸菌、酵母菌、乳酸菌、塩、醤油、味噌、米糠、酒粕、酢、もろみ、からし、味醂の少なくとも１つが共に収容されて構成されたもの。
【０１６１】
［二次産品の付属物４４］
所定の食品の原料と略同一条件で所定の食品の原料とは別体で成長した代替原料と一体に成長した代替一体成長物の加工品と、麹、麹菌、紅こうじ、納豆菌、酢酸菌、酵母菌、乳酸菌、塩、醤油、味噌、米糠、酒粕、酢、もろみ、からし、味醂の少なくとも１つを有するもの。
【０１６２】
［二次産品の付属物４５］
所定の食品の原料と略同一条件で所定の食品の原料とは別体で成長した代替原料と一体に成長した代替一体成長物の加工品と、麹、麹菌、紅こうじ、納豆菌、酢酸菌、酵母菌、乳酸菌、塩、醤油、味噌、米糠、酒粕、酢、もろみ、からし、味醂の少なくとも１つが共に収容されて構成されたもの。
【０１６３】
［二次産品の付属物４６］
所定の食品の原料と略同一条件で所定の食品の原料とは別体で成長した代替原料と一体に成長した代替一体成長物の粉末加工品と、麹、麹菌、紅こうじ、納豆菌、酢酸菌、酵母菌、乳酸菌、塩、醤油、味噌、米糠、酒粕、酢、もろみ、からし、味醂の少なくとも１つを有するもの。
【０１６４】
［二次産品の付属物４７］
所定の食品の原料と略同一条件で所定の食品の原料とは別体で成長した代替原料と一体に成長した代替一体成長物の粉末加工品と、麹、麹菌、紅こうじ、納豆菌、酢酸菌、酵母菌、乳酸菌、塩、醤油、味噌、米糠、酒粕、酢、もろみ、からし、味醂の少なくとも１つが共に収容されて構成されたもの。
【０１６５】
［二次産品の付属物４８］
所定の食品の原料と一体に成長した一体成長物の所定の食品の原料とは異なる部分、若しくは、所定の食品の原料と略同一条件で所定の食品の原料とは別体で成長した代替原料と一体に成長した代替一体成長物の所定の食品の原料に対応する部分とは異なる部分と、麹、麹菌、紅こうじ、納豆菌、酢酸菌、酵母菌、乳酸菌、塩、醤油、味噌、米糠、酒粕、酢、もろみ、からし、味醂の少なくとも１つを有するもの。
【０１６６】
［二次産品の付属物４９］
所定の食品の原料と一体に成長した一体成長物の所定の食品の原料とは異なる部分、若しくは、所定の食品の原料と略同一条件で所定の食品の原料とは別体で成長した代替原料と一体に成長した代替一体成長物の所定の食品の原料に対応する部分とは異なる部分と、麹、麹菌、紅こうじ、納豆菌、酢酸菌、酵母菌、乳酸菌、塩、醤油、味噌、米糠、酒粕、酢、もろみ、からし、味醂の少なくとも１つが共に収容されて構成されたもの。
【０１６７】
［二次産品の付属物５０］
所定の食品の原料と一体に成長した一体成長物の所定の食品の原料とは異なる部分の粉末、若しくは、所定の食品の原料と略同一条件で所定の食品の原料とは別体で成長した代替原料と一体に成長した代替一体成長物の所定の食品の原料に対応する部分とは異なる部分の粉末と、麹、麹菌、紅こうじ、納豆菌、酢酸菌、酵母菌、乳酸菌、塩、醤油、味噌、米糠、酒粕、酢、もろみ、からし、味醂の少なくとも１つを有するもの。
【０１６８】
［二次産品の付属物５１］
所定の食品の原料と一体に成長した一体成長物の所定の食品の原料とは異なる部分の粉末、若しくは、所定の食品の原料と略同一条件で所定の食品の原料とは別体で成長した代替原料と一体に成長した代替一体成長物の所定の食品の原料に対応する部分とは異なる部分の粉末と、麹、麹菌、紅こうじ、納豆菌、酢酸菌、酵母菌、乳酸菌、塩、醤油、味噌、米糠、酒粕、酢、もろみ、からし、味醂の少なくとも１つが共に収容されて構成されたもの。
【０１６９】
［二次産品の付属物５２］
所定の食品の原料と一体に成長した一体成長物の所定の食品の原料とは異なる部分の加工品、若しくは、所定の食品の原料と略同一条件で所定の食品の原料とは別体で成長した代替原料と一体に成長した代替一体成長物の所定の食品の原料に対応する部分とは異なる部分の加工品と、麹、麹菌、紅こうじ、納豆菌、酢酸菌、酵母菌、乳酸菌、塩、醤油、味噌、米糠、酒粕、酢、もろみ、からし、味醂の少なくとも１つを有するもの。
【０１７０】
［二次産品の付属物５３］
所定の食品の原料と一体に成長した一体成長物の所定の食品の原料とは異なる部分の加工品、若しくは、所定の食品の原料と略同一条件で所定の食品の原料とは別体で成長した代替原料と一体に成長した代替一体成長物の所定の食品の原料に対応する部分とは異なる部分の加工品と、麹、麹菌、紅こうじ、納豆菌、酢酸菌、酵母菌、乳酸菌、塩、醤油、味噌、米糠、酒粕、酢、もろみ、からし、味醂の少なくとも１つが共に収容されて構成されたもの。
【０１７１】
［二次産品の付属物５４］
所定の食品の原料と一体に成長した一体成長物の所定の食品の原料とは異なる部分の粉末加工品、若しくは、所定の食品の原料と略同一条件で所定の食品の原料とは別体で成長した代替原料と一体に成長した代替一体成長物の所定の食品の原料に対応する部分とは異なる部分の粉末加工品と、麹、麹菌、紅こうじ、納豆菌、酢酸菌、酵母菌、乳酸菌、塩、醤油、味噌、米糠、酒粕、酢、もろみ、からし、味醂の少なくとも１つを有するもの。
【０１７２】
［二次産品の付属物５５］
所定の食品の原料と一体に成長した一体成長物の所定の食品の原料とは異なる部分の粉末加工品、若しくは、所定の食品の原料と略同一条件で所定の食品の原料とは別体で成長した代替原料と一体に成長した代替一体成長物の所定の食品の原料に対応する部分とは異なる部分の粉末加工品と、麹、麹菌、紅こうじ、納豆菌、酢酸菌、酵母菌、乳酸菌、塩、醤油、味噌、米糠、酒粕、酢、もろみ、からし、味醂の少なくとも１つが共に収容されて構成されたもの。
【０１７３】
［二次産品の付属物５６］
所定の食品に用いられた食品添加物の総重量と同じ重量の食品添加物、所定の食品に用いられた食品添加物の総重量と同じ重量の擬似物、所定の食品に用いられた食品添加物の総体積と同じ体積の食品添加物、所定の食品に用いられた食品添加物の総体積と同じ体積の擬似物、所定の食品に用いられた食品添加物の総体積と見かけ上同じ体積の食品添加物、所定の食品に用いられた食品添加物の総体積と見かけ上同じ体積の擬似物、所定の食品に用いられた砂糖の総重量と同じ重量の砂糖、所定の食品に用いられた砂糖の総重量と同じ重量の擬似物、所定の食品に用いられた砂糖の総体積と同じ体積の砂糖、所定の食品に用いられた砂糖の総体積と同じ体積の擬似物、所定の食品に用いられた砂糖の総体積と見かけ上同じ体積の砂糖、所定の食品に用いられた砂糖の総体積と見かけ上同じ体積の擬似物、所定の食品に用いられた塩の総重量と同じ重量の塩、所定の食品に用いられた塩の総重量と同じ重量の擬似物、所定の食品に用いられた塩の総体積と同じ体積の塩、所定の食品に用いられた塩の総体積と同じ体積の擬似物、所定の食品に用いられた塩の総体積と見かけ上同じ体積の塩、所定の食品に用いられた塩の総体積と見かけ上同じ体積の擬似物、所定の食品に用いられたタンパク加水分解物の総重量と同じ重量のタンパク加水分解物、所定の食品に用いられたタンパク加水分解物の総重量と同じ重量の擬似物、所定の食品に用いられたタンパク加水分解物の総体積と同じ体積のタンパク加水分解物、所定の食品に用いられたタンパク加水分解物の総体積と同じ体積の擬似物、所定の食品に用いられたタンパク加水分解物の総体積と見かけ上同じ体積のタンパク加水分解物、所定の食品に用いられたタンパク加水分解物の総体積と見かけ上同じ体積の擬似物、所定の食品に用いられた調味料の総重量と同じ重量の調味料、所定の食品に用いられた調味料の総重量と同じ重量の擬似物、所定の食品に用いられた調味料の総体積と同じ体積の調味料、所定の食品に用いられた調味料の総体積と同じ体積の擬似物、所定の食品に用いられた調味料の総体積と見かけ上同じ体積の調味料、所定の食品に用いられた調味料の総体積と見かけ上同じ体積の擬似物、所定の食品に用いられたブドウ糖果糖液糖の総重量と同じ重量のブドウ糖果糖液糖、所定の食品に用いられたブドウ糖果糖液糖の総重量と同じ重量の擬似物、所定の食品に用いられたブドウ糖果糖液糖の総体積と同じ体積のブドウ糖果糖液糖、所定の食品に用いられたブドウ糖果糖液糖の総体積と同じ体積の擬似物、所定の食品に用いられたブドウ糖果糖液糖の総体積と見かけ上同じ体積のブドウ糖果糖液糖、所定の食品に用いられたブドウ糖果糖液糖の総体積と見かけ上同じ体積の擬似物、所定の食品に用いられた加工油脂の総重量と同じ重量の加工油脂、所定の食品に用いられた加工油脂の総重量と同じ重量の擬似物、所定の食品に用いられた加工油脂の総体積と同じ体積の加工油脂、所定の食品に用いられた加工油脂の総体積と同じ体積の擬似物、所定の食品に用いられた加工油脂の総体積と見かけ上同じ体積の加工油脂、所定の食品に用いられた加工油脂の総体積と見かけ上同じ体積の擬似物、所定の食品に用いられたトランス脂肪酸の総重量と同じ重量のトランス脂肪酸、所定の食品に用いられたトランス脂肪酸の総重量と同じ重量の擬似物、所定の食品に用いられたトランス脂肪酸の総体積と同じ体積のトランス脂肪酸、所定の食品に用いられたトランス脂肪酸の総体積と同じ体積の擬似物、所定の食品に用いられたトランス脂肪酸の総体積と見かけ上同じ体積のトランス脂肪酸、所定の食品に用いられたトランス脂肪酸の総体積と見かけ上同じ体積の擬似物、所定の食品に用いられた加工デンプンの総重量と同じ重量の加工デンプン、所定の食品に用いられた加工デンプンの総重量と同じ重量の擬似物、所定の食品に用いられた加工デンプンの総体積と同じ体積の加工デンプン、所定の食品に用いられた加工デンプンの総体積と同じ体積の擬似物、所定の食品に用いられた加工デンプンの総体積と見かけ上同じ体積の加工デンプン、所定の食品に用いられた加工デンプンの総体積と見かけ上同じ体積の擬似物、所定の食品に用いられた食品添加物のうち一括名の表示が認められた食品添加物の総重量と同じ重量の食品添加物、所定の食品に用いられた食品添加物のうち一括名の表示が認められた食品添加物の総重量と同じ重量の擬似物、所定の食品に用いられた食品添加物のうち一括名の表示が認められた食品添加物の総体積と同じ体積の食品添加物、所定の食品に用いられた食品添加物のうち一括名の表示が認められた食品添加物の総体積と同じ体積の擬似物、所定の食品に用いられた食品添加物のうち一括名の表示が認められた食品添加物の総体積と見かけ上同じ体積の食品添加物、所定の食品に用いられた食品添加物のうち一括名の表示が認められた食品添加物の総体積と見かけ上同じ体積の擬似物、所定の食品に用いられた合成ビタミンの総重量と同じ重量の合成ビタミン、所定の食品に用いられた合成ビタミンの総重量と同じ重量の擬似物、所定の食品に用いられた合成ビタミンの総体積と同じ体積の合成ビタミン、所定の食品に用いられた合成ビタミンの総体積と同じ体積の擬似物、所定の食品に用いられた合成ビタミンの総体積と見かけ上同じ体積の合成ビタミン、所定の食品に用いられた合成ビタミンの総体積と見かけ上同じ体積の擬似物、所定の食品に用いられた食品添加物のうちキャリーオーバーとみなされた食品添加物の総重量と同じ重量の食品添加物、所定の食品に用いられた食品添加物のうちキャリーオーバーとみなされた食品添加物の総重量と同じ重量の擬似物、所定の食品に用いられた食品添加物のうちキャリーオーバーとみなされた食品添加物の総体積と同じ体積の食品添加物、所定の食品に用いられた食品添加物のうちキャリーオーバーとみなされた食品添加物の総体積と同じ体積の擬似物、所定の食品に用いられた食品添加物のうちキャリーオーバーとみなされた食品添加物の総体積と見かけ上同じ体積の食品添加物、所定の食品に用いられた食品添加物のうちキャリーオーバーとみなされた食品添加物の総体積と見かけ上同じ体積の擬似物、所定の食品に用いられた食品添加物のうちキャリーオーバーとみなされた食品添加物を除く食品添加物の総重量と同じ重量の食品添加物、所定の食品に用いられた食品添加物のうちキャリーオーバーとみなされた食品添加物を除く食品添加物の総重量と同じ重量の擬似物、所定の食品に用いられた食品添加物のうちキャリーオーバーとみなされた食品添加物を除く食品添加物の総体積と同じ体積の食品添加物、所定の食品に用いられた食品添加物のうちキャリーオーバーとみなされた食品添加物を除く食品添加物の総体積と同じ体積の擬似物、所定の食品に用いられた食品添加物のうちキャリーオーバーとみなされた食品添加物を除く食品添加物の総体積と見かけ上同じ体積の食品添加物、所定の食品に用いられた食品添加物のうちキャリーオーバーとみなされた食品添加物を除く食品添加物の総体積と見かけ上同じ体積の擬似物、所定の食品に用いられた脱脂加工大豆の総重量と同じ重量の脱脂加工大豆、所定の食品に用いられた脱脂加工大豆の総重量と同じ重量の擬似物、所定の食品に用いられた脱脂加工大豆の総体積と同じ体積の脱脂加工大豆、所定の食品に用いられた脱脂加工大豆の総体積と同じ体積の擬似物、所定の食品に用いられた脱脂加工大豆の総体積と見かけ上同じ体積の脱脂加工大豆、所定の食品に用いられた脱脂加工大豆の総体積と見かけ上同じ体積の擬似物、所定の食品に用いられたリン酸塩の総重量と同じ重量のリン酸塩、所定の食品に用いられたリン酸塩の総重量と同じ重量の擬似物、所定の食品に用いられたリン酸塩の総体積と同じ体積のリン酸塩、所定の食品に用いられたリン酸塩の総体積と同じ体積の擬似物、所定の食品に用いられたリン酸塩の総体積と見かけ上同じ体積のリン酸塩、所定の食品に用いられたリン酸塩の総体積と見かけ上同じ体積の擬似物、所定の食品に用いられたソルビン酸の総重量と同じ重量のソルビン酸、所定の食品に用いられたソルビン酸の総重量と同じ重量の擬似物、所定の食品に用いられたソルビン酸の総体積と同じ体積のソルビン酸、所定の食品に用いられたソルビン酸の総体積と同じ体積の擬似物、所定の食品に用いられたソルビン酸の総体積と見かけ上同じ体積のソルビン酸、所定の食品に用いられたソルビン酸の総体積と見かけ上同じ体積の擬似物、所定の食品に用いられたアスパルテームの総重量と同じ重量のアスパルテーム、所定の食品に用いられたアスパルテームの総重量と同じ重量の擬似物、所定の食品に用いられたアスパルテームの総体積と同じ体積のアスパルテーム、所定の食品に用いられたアスパルテームの総体積と同じ体積の擬似物、所定の食品に用いられたアスパルテームの総体積と見かけ上同じ体積のアスパルテーム、所定の食品に用いられたアスパルテームの総体積と見かけ上同じ体積の擬似物の少なくとも１つと、麹、麹菌、紅こうじ、納豆菌、酢酸菌、酵母菌、乳酸菌、塩、醤油、味噌、米糠、酒粕、酢、もろみ、からし、味醂の少なくとも１つを有するもの。
【０１７４】
［二次産品の付属物５７］
所定の食品に用いられた食品添加物の総重量と同じ重量の食品添加物、所定の食品に用いられた食品添加物の総重量と同じ重量の擬似物、所定の食品に用いられた食品添加物の総体積と同じ体積の食品添加物、所定の食品に用いられた食品添加物の総体積と同じ体積の擬似物、所定の食品に用いられた食品添加物の総体積と見かけ上同じ体積の食品添加物、所定の食品に用いられた食品添加物の総体積と見かけ上同じ体積の擬似物、所定の食品に用いられた砂糖の総重量と同じ重量の砂糖、所定の食品に用いられた砂糖の総重量と同じ重量の擬似物、所定の食品に用いられた砂糖の総体積と同じ体積の砂糖、所定の食品に用いられた砂糖の総体積と同じ体積の擬似物、所定の食品に用いられた砂糖の総体積と見かけ上同じ体積の砂糖、所定の食品に用いられた砂糖の総体積と見かけ上同じ体積の擬似物、所定の食品に用いられた塩の総重量と同じ重量の塩、所定の食品に用いられた塩の総重量と同じ重量の擬似物、所定の食品に用いられた塩の総体積と同じ体積の塩、所定の食品に用いられた塩の総体積と同じ体積の擬似物、所定の食品に用いられた塩の総体積と見かけ上同じ体積の塩、所定の食品に用いられた塩の総体積と見かけ上同じ体積の擬似物、所定の食品に用いられたタンパク加水分解物の総重量と同じ重量のタンパク加水分解物、所定の食品に用いられたタンパク加水分解物の総重量と同じ重量の擬似物、所定の食品に用いられたタンパク加水分解物の総体積と同じ体積のタンパク加水分解物、所定の食品に用いられたタンパク加水分解物の総体積と同じ体積の擬似物、所定の食品に用いられたタンパク加水分解物の総体積と見かけ上同じ体積のタンパク加水分解物、所定の食品に用いられたタンパク加水分解物の総体積と見かけ上同じ体積の擬似物、所定の食品に用いられた調味料の総重量と同じ重量の調味料、所定の食品に用いられた調味料の総重量と同じ重量の擬似物、所定の食品に用いられた調味料の総体積と同じ体積の調味料、所定の食品に用いられた調味料の総体積と同じ体積の擬似物、所定の食品に用いられた調味料の総体積と見かけ上同じ体積の調味料、所定の食品に用いられた調味料の総体積と見かけ上同じ体積の擬似物、所定の食品に用いられたブドウ糖果糖液糖の総重量と同じ重量のブドウ糖果糖液糖、所定の食品に用いられたブドウ糖果糖液糖の総重量と同じ重量の擬似物、所定の食品に用いられたブドウ糖果糖液糖の総体積と同じ体積のブドウ糖果糖液糖、所定の食品に用いられたブドウ糖果糖液糖の総体積と同じ体積の擬似物、所定の食品に用いられたブドウ糖果糖液糖の総体積と見かけ上同じ体積のブドウ糖果糖液糖、所定の食品に用いられたブドウ糖果糖液糖の総体積と見かけ上同じ体積の擬似物、所定の食品に用いられた加工油脂の総重量と同じ重量の加工油脂、所定の食品に用いられた加工油脂の総重量と同じ重量の擬似物、所定の食品に用いられた加工油脂の総体積と同じ体積の加工油脂、所定の食品に用いられた加工油脂の総体積と同じ体積の擬似物、所定の食品に用いられた加工油脂の総体積と見かけ上同じ体積の加工油脂、所定の食品に用いられた加工油脂の総体積と見かけ上同じ体積の擬似物、所定の食品に用いられたトランス脂肪酸の総重量と同じ重量のトランス脂肪酸、所定の食品に用いられたトランス脂肪酸の総重量と同じ重量の擬似物、所定の食品に用いられたトランス脂肪酸の総体積と同じ体積のトランス脂肪酸、所定の食品に用いられたトランス脂肪酸の総体積と同じ体積の擬似物、所定の食品に用いられたトランス脂肪酸の総体積と見かけ上同じ体積のトランス脂肪酸、所定の食品に用いられたトランス脂肪酸の総体積と見かけ上同じ体積の擬似物、所定の食品に用いられた加工デンプンの総重量と同じ重量の加工デンプン、所定の食品に用いられた加工デンプンの総重量と同じ重量の擬似物、所定の食品に用いられた加工デンプンの総体積と同じ体積の加工デンプン、所定の食品に用いられた加工デンプンの総体積と同じ体積の擬似物、所定の食品に用いられた加工デンプンの総体積と見かけ上同じ体積の加工デンプン、所定の食品に用いられた加工デンプンの総体積と見かけ上同じ体積の擬似物、所定の食品に用いられた食品添加物のうち一括名の表示が認められた食品添加物の総重量と同じ重量の食品添加物、所定の食品に用いられた食品添加物のうち一括名の表示が認められた食品添加物の総重量と同じ重量の擬似物、所定の食品に用いられた食品添加物のうち一括名の表示が認められた食品添加物の総体積と同じ体積の食品添加物、所定の食品に用いられた食品添加物のうち一括名の表示が認められた食品添加物の総体積と同じ体積の擬似物、所定の食品に用いられた食品添加物のうち一括名の表示が認められた食品添加物の総体積と見かけ上同じ体積の食品添加物、所定の食品に用いられた食品添加物のうち一括名の表示が認められた食品添加物の総体積と見かけ上同じ体積の擬似物、所定の食品に用いられた合成ビタミンの総重量と同じ重量の合成ビタミン、所定の食品に用いられた合成ビタミンの総重量と同じ重量の擬似物、所定の食品に用いられた合成ビタミンの総体積と同じ体積の合成ビタミン、所定の食品に用いられた合成ビタミンの総体積と同じ体積の擬似物、所定の食品に用いられた合成ビタミンの総体積と見かけ上同じ体積の合成ビタミン、所定の食品に用いられた合成ビタミンの総体積と見かけ上同じ体積の擬似物、所定の食品に用いられた食品添加物のうちキャリーオーバーとみなされた食品添加物の総重量と同じ重量の食品添加物、所定の食品に用いられた食品添加物のうちキャリーオーバーとみなされた食品添加物の総重量と同じ重量の擬似物、所定の食品に用いられた食品添加物のうちキャリーオーバーとみなされた食品添加物の総体積と同じ体積の食品添加物、所定の食品に用いられた食品添加物のうちキャリーオーバーとみなされた食品添加物の総体積と同じ体積の擬似物、所定の食品に用いられた食品添加物のうちキャリーオーバーとみなされた食品添加物の総体積と見かけ上同じ体積の食品添加物、所定の食品に用いられた食品添加物のうちキャリーオーバーとみなされた食品添加物の総体積と見かけ上同じ体積の擬似物、所定の食品に用いられた食品添加物のうちキャリーオーバーとみなされた食品添加物を除く食品添加物の総重量と同じ重量の食品添加物、所定の食品に用いられた食品添加物のうちキャリーオーバーとみなされた食品添加物を除く食品添加物の総重量と同じ重量の擬似物、所定の食品に用いられた食品添加物のうちキャリーオーバーとみなされた食品添加物を除く食品添加物の総体積と同じ体積の食品添加物、所定の食品に用いられた食品添加物のうちキャリーオーバーとみなされた食品添加物を除く食品添加物の総体積と同じ体積の擬似物、所定の食品に用いられた食品添加物のうちキャリーオーバーとみなされた食品添加物を除く食品添加物の総体積と見かけ上同じ体積の食品添加物、所定の食品に用いられた食品添加物のうちキャリーオーバーとみなされた食品添加物を除く食品添加物の総体積と見かけ上同じ体積の擬似物、所定の食品に用いられた脱脂加工大豆の総重量と同じ重量の脱脂加工大豆、所定の食品に用いられた脱脂加工大豆の総重量と同じ重量の擬似物、所定の食品に用いられた脱脂加工大豆の総体積と同じ体積の脱脂加工大豆、所定の食品に用いられた脱脂加工大豆の総体積と同じ体積の擬似物、所定の食品に用いられた脱脂加工大豆の総体積と見かけ上同じ体積の脱脂加工大豆、所定の食品に用いられた脱脂加工大豆の総体積と見かけ上同じ体積の擬似物、所定の食品に用いられたリン酸塩の総重量と同じ重量のリン酸塩、所定の食品に用いられたリン酸塩の総重量と同じ重量の擬似物、所定の食品に用いられたリン酸塩の総体積と同じ体積のリン酸塩、所定の食品に用いられたリン酸塩の総体積と同じ体積の擬似物、所定の食品に用いられたリン酸塩の総体積と見かけ上同じ体積のリン酸塩、所定の食品に用いられたリン酸塩の総体積と見かけ上同じ体積の擬似物、所定の食品に用いられたソルビン酸の総重量と同じ重量のソルビン酸、所定の食品に用いられたソルビン酸の総重量と同じ重量の擬似物、所定の食品に用いられたソルビン酸の総体積と同じ体積のソルビン酸、所定の食品に用いられたソルビン酸の総体積と同じ体積の擬似物、所定の食品に用いられたソルビン酸の総体積と見かけ上同じ体積のソルビン酸、所定の食品に用いられたソルビン酸の総体積と見かけ上同じ体積の擬似物、所定の食品に用いられたアスパルテームの総重量と同じ重量のアスパルテーム、所定の食品に用いられたアスパルテームの総重量と同じ重量の擬似物、所定の食品に用いられたアスパルテームの総体積と同じ体積のアスパルテーム、所定の食品に用いられたアスパルテームの総体積と同じ体積の擬似物、所定の食品に用いられたアスパルテームの総体積と見かけ上同じ体積のアスパルテーム、所定の食品に用いられたアスパルテームの総体積と見かけ上同じ体積の擬似物の少なくとも１つと、麹、麹菌、紅こうじ、納豆菌、酢酸菌、酵母菌、乳酸菌、塩、醤油、味噌、米糠、酒粕、酢、もろみ、からし、味醂の少なくとも１つが共に収容されて構成されたもの。
【０１７５】
［二次産品の付属物５８］
所定の食品に用いられた食品添加物の総重量に所定の割合を乗じて得られた重量と同じ重量の食品添加物、所定の食品に用いられた食品添加物の総重量に所定の割合を乗じて得られた重量と同じ重量の擬似物、所定の食品に用いられた食品添加物の総体積に所定の割合を乗じて得られた体積と同じ体積の食品添加物、所定の食品に用いられた食品添加物の総体積に所定の割合を乗じて得られた体積と同じ体積の擬似物、所定の食品に用いられた食品添加物の総体積に所定の割合を乗じて得られた体積と見かけ上同じ体積の食品添加物、所定の食品に用いられた食品添加物の総体積に所定の割合を乗じて得られた体積と見かけ上同じ体積の擬似物、所定の食品に用いられた砂糖の総重量に所定の割合を乗じて得られた重量と同じ重量の砂糖、所定の食品に用いられた砂糖の総重量に所定の割合を乗じて得られた重量と同じ重量の擬似物、所定の食品に用いられた砂糖の総体積に所定の割合を乗じて得られた体積と同じ体積の砂糖、所定の食品に用いられた砂糖の総体積に所定の割合を乗じて得られた体積と同じ体積の擬似物、所定の食品に用いられた砂糖の総体積に所定の割合を乗じて得られた体積と見かけ上同じ体積の砂糖、所定の食品に用いられた砂糖の総体積に所定の割合を乗じて得られた体積と見かけ上同じ体積の擬似物、所定の食品に用いられた塩の総重量に所定の割合を乗じて得られた重量と同じ重量の塩、所定の食品に用いられた塩の総重量に所定の割合を乗じて得られた重量と同じ重量の擬似物、所定の食品に用いられた塩の総体積に所定の割合を乗じて得られた体積と同じ体積の塩、所定の食品に用いられた塩の総体積に所定の割合を乗じて得られた体積と同じ体積の擬似物、所定の食品に用いられた塩の総体積に所定の割合を乗じて得られた体積と見かけ上同じ体積の塩、所定の食品に用いられた塩の総体積に所定の割合を乗じて得られた体積と見かけ上同じ体積の擬似物、所定の食品に用いられたタンパク加水分解物の総重量に所定の割合を乗じて得られた重量と同じ重量のタンパク加水分解物、所定の食品に用いられたタンパク加水分解物の総重量に所定の割合を乗じて得られた重量と同じ重量の擬似物、所定の食品に用いられたタンパク加水分解物の総体積に所定の割合を乗じて得られた体積と同じ体積のタンパク加水分解物、所定の食品に用いられたタンパク加水分解物の総体積に所定の割合を乗じて得られた体積と同じ体積の擬似物、所定の食品に用いられたタンパク加水分解物の総体積に所定の割合を乗じて得られた体積と見かけ上同じ体積のタンパク加水分解物、所定の食品に用いられたタンパク加水分解物の総体積に所定の割合を乗じて得られた体積と見かけ上同じ体積の擬似物、所定の食品に用いられた調味料の総重量に所定の割合を乗じて得られた重量と同じ重量の調味料、所定の食品に用いられた調味料の総重量に所定の割合を乗じて得られた重量と同じ重量の擬似物、所定の食品に用いられた調味料の総体積に所定の割合を乗じて得られた体積と同じ体積の調味料、所定の食品に用いられた調味料の総体積に所定の割合を乗じて得られた体積と同じ体積の擬似物、所定の食品に用いられた調味料の総体積に所定の割合を乗じて得られた体積と見かけ上同じ体積の調味料、所定の食品に用いられた調味料の総体積に所定の割合を乗じて得られた体積と見かけ上同じ体積の擬似物、所定の食品に用いられたブドウ糖果糖液糖の総重量に所定の割合を乗じて得られた重量と同じ重量のブドウ糖果糖液糖、所定の食品に用いられたブドウ糖果糖液糖の総重量に所定の割合を乗じて得られた重量と同じ重量の擬似物、所定の食品に用いられたブドウ糖果糖液糖の総体積に所定の割合を乗じて得られた体積と同じ体積のブドウ糖果糖液糖、所定の食品に用いられたブドウ糖果糖液糖の総体積に所定の割合を乗じて得られた体積と同じ体積の擬似物、所定の食品に用いられたブドウ糖果糖液糖の総体積に所定の割合を乗じて得られた体積と見かけ上同じ体積のブドウ糖果糖液糖、所定の食品に用いられたブドウ糖果糖液糖の総体積に所定の割合を乗じて得られた体積と見かけ上同じ体積の擬似物、所定の食品に用いられた加工油脂の総重量に所定の割合を乗じて得られた重量と同じ重量の加工油脂、所定の食品に用いられた加工油脂の総重量に所定の割合を乗じて得られた重量と同じ重量の擬似物、所定の食品に用いられた加工油脂の総体積に所定の割合を乗じて得られた体積と同じ体積の加工油脂、所定の食品に用いられた加工油脂の総体積に所定の割合を乗じて得られた体積と同じ体積の擬似物、所定の食品に用いられた加工油脂の総体積に所定の割合を乗じて得られた体積と見かけ上同じ体積の加工油脂、所定の食品に用いられた加工油脂の総体積に所定の割合を乗じて得られた体積と見かけ上同じ体積の擬似物、所定の食品に用いられたトランス脂肪酸の総重量に所定の割合を乗じて得られた重量と同じ重量のトランス脂肪酸、所定の食品に用いられたトランス脂肪酸の総重量に所定の割合を乗じて得られた重量と同じ重量の擬似物、所定の食品に用いられたトランス脂肪酸の総体積に所定の割合を乗じて得られた体積と同じ体積のトランス脂肪酸、所定の食品に用いられたトランス脂肪酸の総体積に所定の割合を乗じて得られた体積と同じ体積の擬似物、所定の食品に用いられたトランス脂肪酸の総体積に所定の割合を乗じて得られた体積と見かけ上同じ体積のトランス脂肪酸、所定の食品に用いられたトランス脂肪酸の総体積に所定の割合を乗じて得られた体積と見かけ上同じ体積の擬似物、所定の食品に用いられた加工デンプンの総重量に所定の割合を乗じて得られた重量と同じ重量の加工デンプン、所定の食品に用いられた加工デンプンの総重量に所定の割合を乗じて得られた重量と同じ重量の擬似物、所定の食品に用いられた加工デンプンの総体積に所定の割合を乗じて得られた体積と同じ体積の加工デンプン、所定の食品に用いられた加工デンプンの総体積に所定の割合を乗じて得られた体積と同じ体積の擬似物、所定の食品に用いられた加工デンプンの総体積に所定の割合を乗じて得られた体積と見かけ上同じ体積の加工デンプン、所定の食品に用いられた加工デンプンの総体積に所定の割合を乗じて得られた体積と見かけ上同じ体積の擬似物、所定の食品に用いられた食品添加物のうち一括名の表示が認められた食品添加物の総重量に所定の割合を乗じて得られた重量と同じ重量の食品添加物、所定の食品に用いられた食品添加物のうち一括名の表示が認められた食品添加物の総重量に所定の割合を乗じて得られた重量と同じ重量の擬似物、所定の食品に用いられた食品添加物のうち一括名の表示が認められた食品添加物の総体積に所定の割合を乗じて得られた体積と同じ体積の食品添加物、所定の食品に用いられた食品添加物のうち一括名の表示が認められた食品添加物の総体積に所定の割合を乗じて得られた体積と同じ体積の擬似物、所定の食品に用いられた食品添加物のうち一括名の表示が認められた食品添加物の総体積に所定の割合を乗じて得られた体積と見かけ上同じ体積の食品添加物、所定の食品に用いられた食品添加物のうち一括名の表示が認められた食品添加物の総体積に所定の割合を乗じて得られた体積と見かけ上同じ体積の擬似物、所定の食品に用いられた合成ビタミンの総重量に所定の割合を乗じて得られた重量と同じ重量の合成ビタミン、所定の食品に用いられた合成ビタミンの総重量に所定の割合を乗じて得られた重量と同じ重量の擬似物、所定の食品に用いられた合成ビタミンの総体積に所定の割合を乗じて得られた体積と同じ体積の合成ビタミン、所定の食品に用いられた合成ビタミンの総体積に所定の割合を乗じて得られた体積と同じ体積の擬似物、所定の食品に用いられた合成ビタミンの総体積に所定の割合を乗じて得られた体積と見かけ上同じ体積の合成ビタミン、所定の食品に用いられた合成ビタミンの総体積に所定の割合を乗じて得られた体積と見かけ上同じ体積の擬似物、所定の食品に用いられた食品添加物のうちキャリーオーバーとみなされた食品添加物の総重量に所定の割合を乗じて得られた重量と同じ重量の食品添加物、所定の食品に用いられた食品添加物のうちキャリーオーバーとみなされた食品添加物の総重量に所定の割合を乗じて得られた重量と同じ重量の擬似物、所定の食品に用いられた食品添加物のうちキャリーオーバーとみなされた食品添加物の総体積に所定の割合を乗じて得られた体積と同じ体積の食品添加物、所定の食品に用いられた食品添加物のうちキャリーオーバーとみなされた食品添加物の総体積に所定の割合を乗じて得られた体積と同じ体積の擬似物、所定の食品に用いられた食品添加物のうちキャリーオーバーとみなされた食品添加物の総体積に所定の割合を乗じて得られた体積と見かけ上同じ体積の食品添加物、所定の食品に用いられた食品添加物のうちキャリーオーバーとみなされた食品添加物の総体積に所定の割合を乗じて得られた体積と見かけ上同じ体積の擬似物、所定の食品に用いられた食品添加物のうちキャリーオーバーとみなされた食品添加物を除く食品添加物の総重量に所定の割合を乗じて得られた重量と同じ重量の食品添加物、所定の食品に用いられた食品添加物のうちキャリーオーバーとみなされた食品添加物を除く食品添加物の総重量に所定の割合を乗じて得られた重量と同じ重量の擬似物、所定の食品に用いられた食品添加物のうちキャリーオーバーとみなされた食品添加物を除く食品添加物の総体積に所定の割合を乗じて得られた体積と同じ体積の食品添加物、所定の食品に用いられた食品添加物のうちキャリーオーバーとみなされた食品添加物を除く食品添加物の総体積に所定の割合を乗じて得られた体積と同じ体積の擬似物、所定の食品に用いられた食品添加物のうちキャリーオーバーとみなされた食品添加物を除く食品添加物の総体積に所定の割合を乗じて得られた体積と見かけ上同じ体積の食品添加物、所定の食品に用いられた食品添加物のうちキャリーオーバーとみなされた食品添加物を除く食品添加物の総体積に所定の割合を乗じて得られた体積と見かけ上同じ体積の擬似物、所定の食品に用いられた脱脂加工大豆の総重量に所定の割合を乗じて得られた重量と同じ重量の脱脂加工大豆、所定の食品に用いられた脱脂加工大豆の総重量に所定の割合を乗じて得られた重量と同じ重量の擬似物、所定の食品に用いられた脱脂加工大豆の総体積に所定の割合を乗じて得られた体積と同じ体積の脱脂加工大豆、所定の食品に用いられた脱脂加工大豆の総体積に所定の割合を乗じて得られた体積と同じ体積の擬似物、所定の食品に用いられた脱脂加工大豆の総体積に所定の割合を乗じて得られた体積と見かけ上同じ体積の脱脂加工大豆、所定の食品に用いられた脱脂加工大豆の総体積に所定の割合を乗じて得られた体積と見かけ上同じ体積の擬似物、所定の食品に用いられたリン酸塩の総重量に所定の割合を乗じて得られた重量と同じ重量のリン酸塩、所定の食品に用いられたリン酸塩の総重量に所定の割合を乗じて得られた重量と同じ重量の擬似物、所定の食品に用いられたリン酸塩の総体積に所定の割合を乗じて得られた体積と同じ体積のリン酸塩、所定の食品に用いられたリン酸塩の総体積に所定の割合を乗じて得られた体積と同じ体積の擬似物、所定の食品に用いられたリン酸塩の総体積に所定の割合を乗じて得られた体積と見かけ上同じ体積のリン酸塩、所定の食品に用いられたリン酸塩の総体積に所定の割合を乗じて得られた体積と見かけ上同じ体積の擬似物、所定の食品に用いられたソルビン酸の総重量に所定の割合を乗じて得られた重量と同じ重量のソルビン酸、所定の食品に用いられたソルビン酸の総重量に所定の割合を乗じて得られた重量と同じ重量の擬似物、所定の食品に用いられたソルビン酸の総体積に所定の割合を乗じて得られた体積と同じ体積のソルビン酸、所定の食品に用いられたソルビン酸の総体積に所定の割合を乗じて得られた体積と同じ体積の擬似物、所定の食品に用いられたソルビン酸の総体積に所定の割合を乗じて得られた体積と見かけ上同じ体積のソルビン酸、所定の食品に用いられたソルビン酸の総体積に所定の割合を乗じて得られた体積と見かけ上同じ体積の擬似物、所定の食品に用いられたアスパルテームの総重量に所定の割合を乗じて得られた重量と
同じ重量のアスパルテーム、所定の食品に用いられたアスパルテームの総重量に所定の割合を乗じて得られた重量と同じ重量の擬似物、所定の食品に用いられたアスパルテームの総体積に所定の割合を乗じて得られた体積と同じ体積のアスパルテーム、所定の食品に用いられたアスパルテームの総体積に所定の割合を乗じて得られた体積と同じ体積の擬似物、所定の食品に用いられたアスパルテームの総体積に所定の割合を乗じて得られた体積と見かけ上同じ体積のアスパルテーム、所定の食品に用いられたアスパルテームの総体積に所定の割合を乗じて得られた体積と見かけ上同じ体積の擬似物の少なくとも１つと、麹、麹菌、紅こうじ、納豆菌、酢酸菌、酵母菌、乳酸菌、塩、醤油、味噌、米糠、酒粕、酢、もろみ、からし、味醂の少なくとも１つを有するもの、及び、前記所定の割合を表示した表示物。
【０１７６】
［二次産品の付属物５９］
所定の食品に用いられた食品添加物の総重量に所定の割合を乗じて得られた重量と同じ重量の食品添加物、所定の食品に用いられた食品添加物の総重量に所定の割合を乗じて得られた重量と同じ重量の擬似物、所定の食品に用いられた食品添加物の総体積に所定の割合を乗じて得られた体積と同じ体積の食品添加物、所定の食品に用いられた食品添加物の総体積に所定の割合を乗じて得られた体積と同じ体積の擬似物、所定の食品に用いられた食品添加物の総体積に所定の割合を乗じて得られた体積と見かけ上同じ体積の食品添加物、所定の食品に用いられた食品添加物の総体積に所定の割合を乗じて得られた体積と見かけ上同じ体積の擬似物、所定の食品に用いられた砂糖の総重量に所定の割合を乗じて得られた重量と同じ重量の砂糖、所定の食品に用いられた砂糖の総重量に所定の割合を乗じて得られた重量と同じ重量の擬似物、所定の食品に用いられた砂糖の総体積に所定の割合を乗じて得られた体積と同じ体積の砂糖、所定の食品に用いられた砂糖の総体積に所定の割合を乗じて得られた体積と同じ体積の擬似物、所定の食品に用いられた砂糖の総体積に所定の割合を乗じて得られた体積と見かけ上同じ体積の砂糖、所定の食品に用いられた砂糖の総体積に所定の割合を乗じて得られた体積と見かけ上同じ体積の擬似物、所定の食品に用いられた塩の総重量に所定の割合を乗じて得られた重量と同じ重量の塩、所定の食品に用いられた塩の総重量に所定の割合を乗じて得られた重量と同じ重量の擬似物、所定の食品に用いられた塩の総体積に所定の割合を乗じて得られた体積と同じ体積の塩、所定の食品に用いられた塩の総体積に所定の割合を乗じて得られた体積と同じ体積の擬似物、所定の食品に用いられた塩の総体積に所定の割合を乗じて得られた体積と見かけ上同じ体積の塩、所定の食品に用いられた塩の総体積に所定の割合を乗じて得られた体積と見かけ上同じ体積の擬似物、所定の食品に用いられたタンパク加水分解物の総重量に所定の割合を乗じて得られた重量と同じ重量のタンパク加水分解物、所定の食品に用いられたタンパク加水分解物の総重量に所定の割合を乗じて得られた重量と同じ重量の擬似物、所定の食品に用いられたタンパク加水分解物の総体積に所定の割合を乗じて得られた体積と同じ体積のタンパク加水分解物、所定の食品に用いられたタンパク加水分解物の総体積に所定の割合を乗じて得られた体積と同じ体積の擬似物、所定の食品に用いられたタンパク加水分解物の総体積に所定の割合を乗じて得られた体積と見かけ上同じ体積のタンパク加水分解物、所定の食品に用いられたタンパク加水分解物の総体積に所定の割合を乗じて得られた体積と見かけ上同じ体積の擬似物、所定の食品に用いられた調味料の総重量に所定の割合を乗じて得られた重量と同じ重量の調味料、所定の食品に用いられた調味料の総重量に所定の割合を乗じて得られた重量と同じ重量の擬似物、所定の食品に用いられた調味料の総体積に所定の割合を乗じて得られた体積と同じ体積の調味料、所定の食品に用いられた調味料の総体積に所定の割合を乗じて得られた体積と同じ体積の擬似物、所定の食品に用いられた調味料の総体積に所定の割合を乗じて得られた体積と見かけ上同じ体積の調味料、所定の食品に用いられた調味料の総体積に所定の割合を乗じて得られた体積と見かけ上同じ体積の擬似物、所定の食品に用いられたブドウ糖果糖液糖の総重量に所定の割合を乗じて得られた重量と同じ重量のブドウ糖果糖液糖、所定の食品に用いられたブドウ糖果糖液糖の総重量に所定の割合を乗じて得られた重量と同じ重量の擬似物、所定の食品に用いられたブドウ糖果糖液糖の総体積に所定の割合を乗じて得られた体積と同じ体積のブドウ糖果糖液糖、所定の食品に用いられたブドウ糖果糖液糖の総体積に所定の割合を乗じて得られた体積と同じ体積の擬似物、所定の食品に用いられたブドウ糖果糖液糖の総体積に所定の割合を乗じて得られた体積と見かけ上同じ体積のブドウ糖果糖液糖、所定の食品に用いられたブドウ糖果糖液糖の総体積に所定の割合を乗じて得られた体積と見かけ上同じ体積の擬似物、所定の食品に用いられた加工油脂の総重量に所定の割合を乗じて得られた重量と同じ重量の加工油脂、所定の食品に用いられた加工油脂の総重量に所定の割合を乗じて得られた重量と同じ重量の擬似物、所定の食品に用いられた加工油脂の総体積に所定の割合を乗じて得られた体積と同じ体積の加工油脂、所定の食品に用いられた加工油脂の総体積に所定の割合を乗じて得られた体積と同じ体積の擬似物、所定の食品に用いられた加工油脂の総体積に所定の割合を乗じて得られた体積と見かけ上同じ体積の加工油脂、所定の食品に用いられた加工油脂の総体積に所定の割合を乗じて得られた体積と見かけ上同じ体積の擬似物、所定の食品に用いられたトランス脂肪酸の総重量に所定の割合を乗じて得られた重量と同じ重量のトランス脂肪酸、所定の食品に用いられたトランス脂肪酸の総重量に所定の割合を乗じて得られた重量と同じ重量の擬似物、所定の食品に用いられたトランス脂肪酸の総体積に所定の割合を乗じて得られた体積と同じ体積のトランス脂肪酸、所定の食品に用いられたトランス脂肪酸の総体積に所定の割合を乗じて得られた体積と同じ体積の擬似物、所定の食品に用いられたトランス脂肪酸の総体積に所定の割合を乗じて得られた体積と見かけ上同じ体積のトランス脂肪酸、所定の食品に用いられたトランス脂肪酸の総体積に所定の割合を乗じて得られた体積と見かけ上同じ体積の擬似物、所定の食品に用いられた加工デンプンの総重量に所定の割合を乗じて得られた重量と同じ重量の加工デンプン、所定の食品に用いられた加工デンプンの総重量に所定の割合を乗じて得られた重量と同じ重量の擬似物、所定の食品に用いられた加工デンプンの総体積に所定の割合を乗じて得られた体積と同じ体積の加工デンプン、所定の食品に用いられた加工デンプンの総体積に所定の割合を乗じて得られた体積と同じ体積の擬似物、所定の食品に用いられた加工デンプンの総体積に所定の割合を乗じて得られた体積と見かけ上同じ体積の加工デンプン、所定の食品に用いられた加工デンプンの総体積に所定の割合を乗じて得られた体積と見かけ上同じ体積の擬似物、所定の食品に用いられた食品添加物のうち一括名の表示が認められた食品添加物の総重量に所定の割合を乗じて得られた重量と同じ重量の食品添加物、所定の食品に用いられた食品添加物のうち一括名の表示が認められた食品添加物の総重量に所定の割合を乗じて得られた重量と同じ重量の擬似物、所定の食品に用いられた食品添加物のうち一括名の表示が認められた食品添加物の総体積に所定の割合を乗じて得られた体積と同じ体積の食品添加物、所定の食品に用いられた食品添加物のうち一括名の表示が認められた食品添加物の総体積に所定の割合を乗じて得られた体積と同じ体積の擬似物、所定の食品に用いられた食品添加物のうち一括名の表示が認められた食品添加物の総体積に所定の割合を乗じて得られた体積と見かけ上同じ体積の食品添加物、所定の食品に用いられた食品添加物のうち一括名の表示が認められた食品添加物の総体積に所定の割合を乗じて得られた体積と見かけ上同じ体積の擬似物、所定の食品に用いられた合成ビタミンの総重量に所定の割合を乗じて得られた重量と同じ重量の合成ビタミン、所定の食品に用いられた合成ビタミンの総重量に所定の割合を乗じて得られた重量と同じ重量の擬似物、所定の食品に用いられた合成ビタミンの総体積に所定の割合を乗じて得られた体積と同じ体積の合成ビタミン、所定の食品に用いられた合成ビタミンの総体積に所定の割合を乗じて得られた体積と同じ体積の擬似物、所定の食品に用いられた合成ビタミンの総体積に所定の割合を乗じて得られた体積と見かけ上同じ体積の合成ビタミン、所定の食品に用いられた合成ビタミンの総体積に所定の割合を乗じて得られた体積と見かけ上同じ体積の擬似物、所定の食品に用いられた食品添加物のうちキャリーオーバーとみなされた食品添加物の総重量に所定の割合を乗じて得られた重量と同じ重量の食品添加物、所定の食品に用いられた食品添加物のうちキャリーオーバーとみなされた食品添加物の総重量に所定の割合を乗じて得られた重量と同じ重量の擬似物、所定の食品に用いられた食品添加物のうちキャリーオーバーとみなされた食品添加物の総体積に所定の割合を乗じて得られた体積と同じ体積の食品添加物、所定の食品に用いられた食品添加物のうちキャリーオーバーとみなされた食品添加物の総体積に所定の割合を乗じて得られた体積と同じ体積の擬似物、所定の食品に用いられた食品添加物のうちキャリーオーバーとみなされた食品添加物の総体積に所定の割合を乗じて得られた体積と見かけ上同じ体積の食品添加物、所定の食品に用いられた食品添加物のうちキャリーオーバーとみなされた食品添加物の総体積に所定の割合を乗じて得られた体積と見かけ上同じ体積の擬似物、所定の食品に用いられた食品添加物のうちキャリーオーバーとみなされた食品添加物を除く食品添加物の総重量に所定の割合を乗じて得られた重量と同じ重量の食品添加物、所定の食品に用いられた食品添加物のうちキャリーオーバーとみなされた食品添加物を除く食品添加物の総重量に所定の割合を乗じて得られた重量と同じ重量の擬似物、所定の食品に用いられた食品添加物のうちキャリーオーバーとみなされた食品添加物を除く食品添加物の総体積に所定の割合を乗じて得られた体積と同じ体積の食品添加物、所定の食品に用いられた食品添加物のうちキャリーオーバーとみなされた食品添加物を除く食品添加物の総体積に所定の割合を乗じて得られた体積と同じ体積の擬似物、所定の食品に用いられた食品添加物のうちキャリーオーバーとみなされた食品添加物を除く食品添加物の総体積に所定の割合を乗じて得られた体積と見かけ上同じ体積の食品添加物、所定の食品に用いられた食品添加物のうちキャリーオーバーとみなされた食品添加物を除く食品添加物の総体積に所定の割合を乗じて得られた体積と見かけ上同じ体積の擬似物、所定の食品に用いられた脱脂加工大豆の総重量に所定の割合を乗じて得られた重量と同じ重量の脱脂加工大豆、所定の食品に用いられた脱脂加工大豆の総重量に所定の割合を乗じて得られた重量と同じ重量の擬似物、所定の食品に用いられた脱脂加工大豆の総体積に所定の割合を乗じて得られた体積と同じ体積の脱脂加工大豆、所定の食品に用いられた脱脂加工大豆の総体積に所定の割合を乗じて得られた体積と同じ体積の擬似物、所定の食品に用いられた脱脂加工大豆の総体積に所定の割合を乗じて得られた体積と見かけ上同じ体積の脱脂加工大豆、所定の食品に用いられた脱脂加工大豆の総体積に所定の割合を乗じて得られた体積と見かけ上同じ体積の擬似物、所定の食品に用いられたリン酸塩の総重量に所定の割合を乗じて得られた重量と同じ重量のリン酸塩、所定の食品に用いられたリン酸塩の総重量に所定の割合を乗じて得られた重量と同じ重量の擬似物、所定の食品に用いられたリン酸塩の総体積に所定の割合を乗じて得られた体積と同じ体積のリン酸塩、所定の食品に用いられたリン酸塩の総体積に所定の割合を乗じて得られた体積と同じ体積の擬似物、所定の食品に用いられたリン酸塩の総体積に所定の割合を乗じて得られた体積と見かけ上同じ体積のリン酸塩、所定の食品に用いられたリン酸塩の総体積に所定の割合を乗じて得られた体積と見かけ上同じ体積の擬似物、所定の食品に用いられたソルビン酸の総重量に所定の割合を乗じて得られた重量と同じ重量のソルビン酸、所定の食品に用いられたソルビン酸の総重量に所定の割合を乗じて得られた重量と同じ重量の擬似物、所定の食品に用いられたソルビン酸の総体積に所定の割合を乗じて得られた体積と同じ体積のソルビン酸、所定の食品に用いられたソルビン酸の総体積に所定の割合を乗じて得られた体積と同じ体積の擬似物、所定の食品に用いられたソルビン酸の総体積に所定の割合を乗じて得られた体積と見かけ上同じ体積のソルビン酸、所定の食品に用いられたソルビン酸の総体積に所定の割合を乗じて得られた体積と見かけ上同じ体積の擬似物、所定の食品に用いられたアスパルテームの総重量に所定の割合を乗じて得られた重量と
同じ重量のアスパルテーム、所定の食品に用いられたアスパルテームの総重量に所定の割合を乗じて得られた重量と同じ重量の擬似物、所定の食品に用いられたアスパルテームの総体積に所定の割合を乗じて得られた体積と同じ体積のアスパルテーム、所定の食品に用いられたアスパルテームの総体積に所定の割合を乗じて得られた体積と同じ体積の擬似物、所定の食品に用いられたアスパルテームの総体積に所定の割合を乗じて得られた体積と見かけ上同じ体積のアスパルテーム、所定の食品に用いられたアスパルテームの総体積に所定の割合を乗じて得られた体積と見かけ上同じ体積の擬似物の少なくとも１つと、麹、麹菌、紅こうじ、納豆菌、酢酸菌、酵母菌、乳酸菌、塩、醤油、味噌、米糠、酒粕、酢、もろみ、からし、味醂の少なくとも１つが共に収容されて構成されたもの、及び、前記所定の割合を表示した表示物。
【０１７７】
［二次産品の付属物６０］
所定の食品の原料の次世代の種子、若しくは、所定の食品の原料と略同一条件で所定の食品の原料とは別体で成長した代替原料の次世代の種子と、麹、麹菌、紅こうじ、納豆菌、酢酸菌、酵母菌、乳酸菌、塩、醤油、味噌、米糠、酒粕、酢、もろみ、からし、味醂の少なくとも１つを有するもの。
【０１７８】
［二次産品の付属物６１］
所定の食品の原料の次世代の種子、若しくは、所定の食品の原料と略同一条件で所定の食品の原料とは別体で成長した代替原料の次世代の種子と、麹、麹菌、紅こうじ、納豆菌、酢酸菌、酵母菌、乳酸菌、塩、醤油、味噌、米糠、酒粕、酢、もろみ、からし、味醂の少なくとも１つが共に収容されて構成されたもの。
【０１７９】
［二次産品の付属物６２］
所定の食品の原料の一部、若しくは、所定の食品の原料と略同一条件で所定の食品の原料とは別体で成長した代替原料から得られた種芋と、麹、麹菌、紅こうじ、納豆菌、酢酸菌、酵母菌、乳酸菌、塩、醤油、味噌、米糠、酒粕、酢、もろみ、からし、味醂の少なくとも１つを有するもの。
【０１８０】
［二次産品の付属物６３］
所定の食品の原料の一部、若しくは、所定の食品の原料と略同一条件で所定の食品の原料とは別体で成長した代替原料から得られた種芋と、麹、麹菌、紅こうじ、納豆菌、酢酸菌、酵母菌、乳酸菌、塩、醤油、味噌、米糠、酒粕、酢、もろみ、からし、味醂の少なくとも１つが共に収容されて構成されたもの。
【０１８１】
［二次産品の付属物６４］
所定の食品の原料の一部であり、若しくは、所定の食品の原料と略同一条件で所定の食品の原料とは別体で成長した代替原料であり、若しくは、所定の食品の原料と一体に成長した一体成長物の所定の食品の原料とは異なる部分であり、若しくは、所定の食品の原料と略同一条件で所定の食品の原料とは別体で成長した代替原料と一体に成長した代替一体成長物の所定の食品の原料に対応する部分とは異なる部分である付属物本体が、水と共に収容されて構成されたもの。
【０１８２】
［二次産品の付属物６５］
所定の食品の原料の一部であり、若しくは、所定の食品の原料と略同一条件で所定の食品の原料とは別体で成長した代替原料であり、若しくは、所定の食品の原料と一体に成長した一体成長物の所定の食品の原料とは異なる部分であり、若しくは、所定の食品の原料と略同一条件で所定の食品の原料とは別体で成長した代替原料と一体に成長した代替一体成長物の所定の食品の原料に対応する部分とは異なる部分である付属物本体が、水と共に収容されて構成されると共に、アンモニアセンサーを有して構成されたもの。
【０１８３】
［二次産品の付属物６６］
所定の食品の原料の収穫後に使用された農薬。
【０１８４】
［二次産品の付属物６７］
所定の食品の原料の生産の後に同所定の食品の原料に関与した燻蒸剤、消毒剤、殺菌剤、抗菌剤、防かび剤、防腐剤、被膜剤、酸化防止剤、除草剤、殺虫剤、漂白殺菌剤、若しくは、薬剤の少なくとも１つ。
【０１８５】
［二次産品の付属物６８］
所定の食品の原料の生産の後に同所定の食品の原料に関与した動物用食品添加物、若しくは、成長ホルモン剤の少なくとも１つ。
【０１８６】
［二次産品の付属物６９］
所定の食品の原料の加工直前に、同所定の食品の原料に含まれている燻蒸剤、消毒剤、殺菌剤、抗菌剤、防かび剤、防腐剤、被膜剤、酸化防止剤、除草剤、殺虫剤、漂白殺菌剤、若しくは、薬剤の少なくとも１つ。
【０１８７】
［二次産品の付属物７０］
所定の食品の原料の生産と略同時期に略同一環境で成長した海藻、草、魚介類の少なくとも１つ。
【発明の効果】
【０１８８】
本発明の商品情報提供システム及びサービス情報提供システムでは、消費者がより一層安心して商品やサービスを選択することが可能となり、商品やサービスの信頼度の向上を実現することができる。
【図面の簡単な説明】
【０１８９】
【図１】本発明の商品情報提供システムの構成例の一例を説明するための模式図である。
【図２】図１の商品情報提供システムの使用方法の一例を示す模式図（１）である。
【図３】図１の商品情報提供システムの使用方法の一例を示す模式図（２）である。
【図４】本発明の変形例を説明するための模式図である。
【発明を実施するための形態】
【０１９０】
以下、発明を実施するための形態（以下、「実施の形態」と称する）について説明を行う。
【０１９１】
図１は、本発明の商品情報提供システムの構成例の一例を説明するための模式図である。
図１で示す商品情報提供システム１は、商品提供者が利用する商品提供者端末２と、情報提供者が利用する情報提供者端末３（３Ａ，３Ｂ，３Ｃ，３Ｄ，３Ｅ，３Ｆ）と、消費者が利用する消費者端末１０と、サーバ４とで構成される。
【０１９２】
また、商品提供者端末２、情報提供者端末３、及び、消費者端末１０は、インターネット５を介してサーバ４とやり取り可能に構成されている。
【０１９３】
なお、情報提供者端末３を利用する情報提供者としては、（１）商品提供者とは別ルートで商品提供者が提供する商品の提供を受けた者や、（２）過去に商品提供者から商品の提供を受けた顧客（既存顧客）や、（３）各種商品の調査や評価を生業とする調査会社や評価会社等があり、特に限定されるものではない。また、情報提供者の全てが別ルートで商品の提供を受けた者の場合、情報提供者の全てが既存顧客の場合、情報提供者の全てが調査会社や評価会社の場合の他、情報提供者の一部が別ルートで商品の提供を受けた者であり、他の一部が調査会社や評価会社の場合、など、（１）〜（３）を適宜組み合わせた場合であっても良い。
【０１９４】
また、サーバ４は、商品提供者端末２から送信された商品提供者情報を記録する商品提供者情報記録手段６を有する。
【０１９５】
ここで、商品提供者情報記録手段６は、少なくとも、商品提供者が顧客に提供する商品の情報６ａと、こうした商品と共に提供される付属物の情報６ｂと、出力する情報提供者情報を特定するための出力対象情報６ｃを記録可能に構成されている。
【０１９６】
なお、商品の情報６ａに紐付けて、付属物の情報６ｂと、出力対象情報６ｃが記録される。また、複数の商品の情報が記録される場合（即ち、商品の情報６ａに加えて、商品の情報６ａとは別の商品の情報も記録される場合）には、それぞれの商品の情報に対応した付属物の情報、出力対象情報が記録される。
【０１９７】
また、サーバ４は、情報提供者が利用する情報提供者端末３Ａから送信された情報提供者情報Ａを記録する情報提供者情報記録手段７Ａと、情報提供者が利用する情報提供者端末３Ｂから送信された情報提供者情報Ｂを記録する情報提供者情報記録手段７Ｂと、情報提供者が利用する情報提供者端末３Ｃから送信された情報提供者情報Ｃを記録する情報提供者情報記録手段７Ｃと、情報提供者が利用する情報提供者端末３Ｄから送信された情報提供者情報Ｄを記録する情報提供者情報記録手段７Ｄと、情報提供者が利用する情報提供者端末３Ｅから送信された情報提供者情報Ｅを記録する情報提供者情報記録手段７Ｅと、情報提供者が利用する情報提供者端末３Ｆから送信された情報提供者情報Ｆを記録する情報提供者情報記録手段７Ｆを有する。
【０１９８】
ここで、情報提供者情報記録手段７Ａは、少なくとも、情報提供者端末３Ａを利用する情報提供者の情報７Ａａと、商品提供者が提供する商品の内容の情報７Ａｂと、付属物の情報７Ａｃと、付属物の情報７Ａｃとは異なるその他の情報７Ａｄと、付属物の情報７Ａｃやその他の情報７Ａｄが利用された場合の還元率の情報７Ａｅと、保有するポイントの情報７Ａｆを記録可能に構成されている。
【０１９９】
ここで、「商品の内容の情報７Ａｂ」は、商品提供者端末２を利用する商品提供者とは別の商品提供者から提供を受けた商品（以下、「別ルートの商品」と称する）であって、商品提供者端末２を利用する商品提供者が提供する商品と同じ商品についての情報である。また、「付属物の情報７Ａｃ」は、別ルートの商品と共に提供される付属物の情報である。
【０２００】
また、情報提供者の情報７Ａａに紐付けて、商品の情報７Ａｂと、付属物の情報７Ａｃと、その他の情報７Ａｄと、還元率の情報７Ａｅと、ポイントの情報７Ａｆが記録される。更に、商品の情報７Ａｂと紐付けて、付属物の情報７Ａｃと、その他の情報７Ａｄと、還元率の情報７Ａｅが記録される。なお、複数の商品の情報が記録される場合（即ち、商品の情報７Ａｂに加えて、商品の情報７Ａｂとは別の商品の情報も記録される場合）には、それぞれの商品の情報に対応した付属物の情報、その他の情報、還元率の情報が記録される。
【０２０１】
同様に、情報提供者情報記録手段７Ｂは、少なくとも、情報提供者端末３Ｂを利用する情報提供者の情報７Ｂａと、商品提供者が提供する商品の内容の情報７Ｂｂと、付属物の情報７Ｂｃと、付属物の情報７Ｂｃとは異なるその他の情報７Ｂｄと、付属物の情報７Ｂｃやその他の情報７Ｂｄが利用された場合の還元率の情報７Ｂｅと、保有するポイントの情報７Ｂｆを記録可能に構成されている。
【０２０２】
ここで、「商品の内容の情報７Ｂｂ」は、商品提供者端末２を利用する商品提供者とは別の商品提供者から提供を受けた商品（以下、「別ルートの商品」と称する）であって、商品提供者端末２を利用する商品提供者が提供する商品と同じ商品についての情報である。また、「付属物の情報７Ｂｃ」は、別ルートの商品と共に提供される付属物の情報である。
【０２０３】
また、情報提供者の情報７Ｂａに紐付けて、商品の情報７Ｂｂと、付属物の情報７Ｂｃと、その他の情報７Ｂｄと、還元率の情報７Ｂｅと、ポイントの情報７Ｂｆが記録される。更に、商品の情報７Ｂｂと紐付けて、付属物の情報７Ｂｃと、その他の情報７Ｂｄと、還元率の情報７Ｂｅが記録される。なお、複数の商品の情報が記録される場合（即ち、商品の情報７Ｂｂに加えて、商品の情報７Ｂｂとは別の商品の情報も記録される場合）には、それぞれの商品の情報に対応した付属物の情報、その他の情報、還元率の情報が記録される。
【０２０４】
同様に、情報提供者情報記録手段７Ｃは、少なくとも、情報提供者端末３Ｃを利用する情報提供者の情報７Ｃａと、商品提供者が提供する商品の内容の情報７Ｃｂと、付属物の情報７Ｃｃと、付属物の情報７Ｃｃとは異なるその他の情報７Ｃｄと、付属物の情報７Ｃｃやその他の情報７Ｃｄが利用された場合の還元率の情報７Ｃｅと、保有するポイントの情報７Ｃｆを記録可能に構成されている。
【０２０５】
ここで、「商品の内容の情報７Ｃｂ」は、商品提供者端末２を利用する商品提供者とは別の商品提供者から提供を受けた商品（以下、「別ルートの商品」と称する）であって、商品提供者端末２を利用する商品提供者が提供する商品と同じ商品についての情報である。また、「付属物の情報７Ｃｃ」は、別ルートの商品と共に提供される付属物の情報である。
【０２０６】
また、情報提供者の情報７Ｃａに紐付けて、商品の情報７Ｃｂと、付属物の情報７Ｃｃと、その他の情報７Ｃｄと、還元率の情報７Ｃｅと、ポイントの情報７Ｃｆが記録される。更に、商品の情報７Ｃｂと紐付けて、付属物の情報７Ｃｃと、その他の情報７Ｃｄと、還元率の情報７Ｃｅが記録される。なお、複数の商品の情報が記録される場合（即ち、商品の情報７Ｃｂに加えて、商品の情報７Ｃｂとは別の商品の情報も記録される場合）には、それぞれの商品の情報に対応した付属物の情報、その他の情報、還元率の情報が記録される。
【０２０７】
同様に、情報提供者情報記録手段７Ｄは、少なくとも、情報提供者端末３Ｄを利用する情報提供者の情報７Ｄａと、商品提供者が提供する商品の内容の情報７Ｄｂと、付属物の情報７Ｄｃと、付属物の情報７Ｄｃとは異なるその他の情報７Ｄｄと、付属物の情報７Ｄｃやその他の情報７Ｄｄが利用された場合の還元率の情報７Ｄｅと、保有するポイントの情報７Ｄｆを記録可能に構成されている。
【０２０８】
ここで、「商品の内容の情報７Ｄｂ」は、商品提供者端末２を利用する商品提供者とは別の商品提供者から提供を受けた商品（以下、「別ルートの商品」と称する）であって、商品提供者端末２を利用する商品提供者が提供する商品と同じ商品についての情報である。また、「付属物の情報７Ｄｃ」は、別ルートの商品と共に提供される付属物の情報である。
【０２０９】
また、情報提供者の情報７Ｄａに紐付けて、商品の情報７Ｄｂと、付属物の情報７Ｄｃと、その他の情報７Ｄｄと、還元率の情報７Ｄｅと、ポイントの情報７Ｄｆが記録される。更に、商品の情報７Ｄｂと紐付けて、付属物の情報７Ｄｃと、その他の情報７Ｄｄと、還元率の情報７Ｄｅが記録される。なお、複数の商品の情報が記録される場合（即ち、商品の情報７Ｄｂに加えて、商品の情報７Ｄｂとは別の商品の情報も記録される場合）には、それぞれの商品の情報に対応した付属物の情報、その他の情報、還元率の情報が記録される。
【０２１０】
同様に、情報提供者情報記録手段７Ｅは、少なくとも、情報提供者端末３Ｅを利用する情報提供者の情報７Ｅａと、商品提供者が提供する商品の内容の情報７Ｅｂと、付属物の情報７Ｅｃと、付属物の情報７Ｅｃとは異なるその他の情報７Ｅｄと、付属物の情報７Ｅｃやその他の情報７Ｅｄが利用された場合の還元率の情報７Ｅｅと、保有するポイントの情報７Ｅｆを記録可能に構成されている。
【０２１１】
ここで、「商品の内容の情報７Ｅｂ」は、商品提供者端末２を利用する商品提供者とは別の商品提供者から提供を受けた商品（以下、「別ルートの商品」と称する）であって、商品提供者端末２を利用する商品提供者が提供する商品と同じ商品についての情報である。また、「付属物の情報７Ｅｃ」は、別ルートの商品と共に提供される付属物の情報である。
【０２１２】
また、情報提供者の情報７Ｅａに紐付けて、商品の情報７Ｅｂと、付属物の情報７Ｅｃと、その他の情報７Ｅｄと、還元率の情報７Ｅｅと、ポイントの情報７Ｅｆが記録される。更に、商品の情報７Ｅｂと紐付けて、付属物の情報７Ｅｃと、その他の情報７Ｅｄと、還元率の情報７Ｅｅが記録される。なお、複数の商品の情報が記録される場合（即ち、商品の情報７Ｅｂに加えて、商品の情報７Ｅｂとは別の商品の情報も記録される場合）には、それぞれの商品の情報に対応した付属物の情報、その他の情報、還元率の情報が記録される。
【０２１３】
同様に、情報提供者情報記録手段７Ｆは、少なくとも、情報提供者端末３Ｆを利用する情報提供者の情報７Ｆａと、商品提供者が提供する商品の内容の情報７Ｆｂと、付属物の情報７Ｆｃと、付属物の情報７Ｆｃとは異なるその他の情報７Ｆｄと、付属物の情報７Ｆｃやその他の情報７Ｆｄが利用された場合の還元率の情報７Ｆｅと、保有するポイントの情報７Ｆｆを記録可能に構成されている。
【０２１４】
ここで、「商品の内容の情報７Ｆｂ」は、商品提供者端末２を利用する商品提供者とは別の商品提供者から提供を受けた商品（以下、「別ルートの商品」と称する）であって、商品提供者端末２を利用する商品提供者が提供する商品と同じ商品についての情報である。また、「付属物の情報７Ｆｃ」は、別ルートの商品と共に提供される付属物の情報である。
【０２１５】
また、情報提供者の情報７Ｆａに紐付けて、商品の情報７Ｆｂと、付属物の情報７Ｆｃと、その他の情報７Ｆｄと、還元率の情報７Ｆｅと、ポイントの情報７Ｆｆが記録される。更に、商品の情報７Ｆｂと紐付けて、付属物の情報７Ｆｃと、その他の情報７Ｆｄと、還元率の情報７Ｆｅが記録される。なお、複数の商品の情報が記録される場合（即ち、商品の情報７Ｆｂに加えて、商品の情報７Ｆｂとは別の商品の情報も記録される場合）には、それぞれの商品の情報に対応した付属物の情報、その他の情報、還元率の情報が記録される。
【０２１６】
また、サーバ４は、消費者が情報を求めた場合に、出力対象情報６ｃに記録された情報に基づいて、情報提供者情報記録手段７Ａ〜７Ｆに記録された付属物の情報７Ａｃ〜７Ｆｃ及びその他の情報７Ａｄ〜７Ｆｄを出力する付属物情報出力手段８を有する。
具体的には、例えば、出力対象情報６ｃに出力対象として、「付属物の情報７Ｅｃ及びその他の情報７Ｅｄ」が記録されている場合には、商品６ａに対応して設けられた識別情報（本実施例では、サーバ４にリンクが貼られた画像）をクリックすることで、付属物情報出力手段８が付属物の情報７Ｅｃ及びその他の情報７Ｅｄを出力し、消費者端末１０にこれらの情報が表示されることになる。
【０２１７】
ところで、情報提供者情報の変更を情報提供者の判断のみで行えるとした場合には、変更後の情報の内容によっては商品提供者が大きな不利益を被ることも考えられる。例えば、新規記録時には商品提供者が好む内容として商品提供者が選択するように仕向け、その後に悪意をもって虚偽の情報に変更する場合等が挙げられる。
そのため、情報提供者情報の変更については、情報提供者自身で行えるものの、変更内容を商品提供者が承認した場合に限って、その変更が反映されるように構成しても良い。
なお、（記録された情報の変更ではなく）新規の記録の場合には、商品提供者が選択しなければ情報が出力されることは無いため、承認の仕組みは不要である。
【０２１８】
更に、サーバ４は、付属物情報出力手段８が付属物の情報等を出力した場合に、情報提供者にポイントを付与するポイント付与手段９を有する。
具体的には、例えば、付属物の情報７Ｅｃ及びその他の情報７Ｅｄが出力された場合には、情報提供者情報記録手段７Ｅの保有するポイントの情報７Ｅｆに、還元率の情報７Ｅｅに応じたポイントが加算されることになる。
【０２１９】
図２は、上述した商品情報提供システムの使用方法の一例を示す概略図である。
なお、以下では、消費者４０（新規顧客）は、商品提供者２０の商品の提供を受けるか否かの検討に際して、情報の収集を行っていることを前提として説明を行う。
【０２２０】
［１．各種情報の記録］
本発明の商品情報提供システムの使用方法の一例では、消費者４０が情報を得るためには、各種情報がサーバ４に記録される必要がある。そのために、サーバ４への各種情報の記録について説明を行う。
【０２２１】
本発明の商品情報提供システムの使用方法の一例では、先ず、商品提供者２０は、自身が提供する商品２００の内容（商品の内容の情報６ａ）を、商品提供者端末２（図２では図示せず）を用いて商品提供者情報記録手段６に記録する。また、商品提供者２０は、自身が提供する付属物２０１の内容（付属物の情報６ｂ）を、商品提供者端末２（図２では図示せず）を用いて商品提供者情報記録手段６に記録する（図２中符号（１）で示すステップ）。
【０２２２】
次に、情報提供者３０Ａは、自身を特定する情報（情報提供者の情報７Ａａ）を、情報提供者端末３Ａ（図２では図示せず）を用いて情報提供者情報記録手段７Ａに記録する。
また、情報提供者の情報７Ａａに紐付けて、別ルートの商品の内容（商品の内容の情報７Ａｂ）と、別ルートの商品と共に提供された付属物の内容（付属物の情報７Ａｃ）と、その他の情報７Ａｄを、情報提供者端末３Ａ（図２では図示せず）を用いて情報提供者情報記録手段７Ａに記録する。
なお、「その他の情報７Ａｄ」としては、例えば、別ルートの商品の品質を把握することが可能となる種々の情報が挙げられる。
【０２２３】
更に、情報提供者の情報７Ａａに紐付けて、付属物の情報７Ａｃ及びその他の情報７Ａｄが利用された場合の還元率の情報７Ａｅを、情報提供者端末３Ａ（図２では図示せず）を用いて情報提供者情報記録手段７Ａに記録する。
これらの記録は、図２中符号（２）で示すステップである。
【０２２４】
なお、情報提供者３０Ａが各種情報を記録すると、商品提供者２０に「その旨」が送信される（図２中符号（３）で示すステップ）。
【０２２５】
ここでは、情報提供者３０Ａが、情報提供者の情報７Ａａ、商品の情報７Ａｂ、付属物の情報７Ａｃ、その他の情報７Ａｄ、還元率の情報７Ａｅを記録する場合の説明を行っているが、同様にして、情報提供者３０Ｂ、情報提供者３０Ｃ、情報提供者３０Ｄ、情報提供者３０Ｅ及び情報提供者３０Ｆも、記録を行う。
【０２２６】
なお、情報提供者３０Ａ〜３０Ｆは、同タイミングで記録を行うということではなく、順次行うものである。
【０２２７】
次に、上記（３）のステップで、「その旨」が送信されていることから、商品提供者２０は、サーバ４にアクセスして、記録された情報提供者情報Ａ〜Ｆを確認した上で、いずれかの情報提供者情報を選択し（例えば、付属物の情報の質を比較して情報提供者情報を選択する、その他の情報の質を比較して情報提供者情報を選択する、還元率を比較して情報提供者情報を選択する、など）、商品提供者端末２（図２では図示せず）を用いて、出力対象情報６ｃを記録する（図２中符号（４）で示すステップ）。
【０２２８】
ここでは、商品提供者２０の商品２００について、商品提供者情報及び情報提供者情報を記録する場合の説明を行っているが、同様にして、その他の商品（２０２、２０４、２０６、２０８、２１０）についても、商品提供者情報及び情報提供者情報を記録する。
なお、その他の商品（２０２、２０４、２０６、２０８、２１０）については、商品提供者２０が提供する商品であっても良いし、商品提供者２０とは別の商品提供者が提供する商品であっても良い。
【０２２９】
上述したような各種情報の記録の後に、消費者４０に対して、各種情報の提供が可能となる。
【０２３０】
［２．各種情報の提供］
以下、商品提供者２０が通販サイトで販売する商品２００について、消費者４０が情報を得る場合を例に挙げて説明を行う。なお、厳密な意味において、「商品（現物）や付属物（現物）」と「商品（画像）や付属物（画像）」は別物であるが、理解の容易化のために、図３（及び後述する図４）では、同一の符号を付している。
【０２３１】
図３で示すように、商品２００が販売されている通販サイトは、販売商品（２００、２０２、２０４、２０６、２０８、２１０）の画像が掲載され、それぞれの販売商品に対応して付属物（２０１、２０３、２０５、２０７、２０９、２１１）の画像が掲載されている。
【０２３２】
ここで、販売商品や付属物の画像にはサーバ４へのリンクが貼られており、画像をクリックすることで、インターネット５を介してサーバ４にアクセスでき（図２中符号（５）で示すステップ）、対応する商品の情報提供者情報が消費者端末１０に表示される。
具体的には、消費者４０は、商品２００の画像、若しくは、付属物２０１の画像をクリックすることで、付属物情報出力手段８は、商品提供者情報記録手段６に記録された商品の内容の情報６ａ（商品２００に対応する情報が商品の内容の情報６ａである）と、商品の内容の情報６ａに紐付けられた付属物の情報６ｂを出力する（消費者端末１０に情報が表示される）。
【０２３３】
併せて、付属物情報出力手段８は、商品の内容の情報６ａに紐付けられた出力対象情報６ｃに基づいて、情報提供者情報を出力する（消費者端末１０に情報が表示される）。具体的には、例えば、出力対象情報６ｃに出力対象として「付属物の情報７Ｅｃ」が記録されている場合には、付属物の情報７Ｅｃと、付属物の情報７Ｅｃに紐付けられた商品の内容の情報７Ｅｂ、その他の情報７Ｅｄを出力する（消費者端末１０に情報が表示される）。
【０２３４】
消費者端末１０に表示された各種情報（６ａ〜６ｂ、７Ｅｂ〜７Ｅｄ）を確認した後、消費者４０が商品提供者２０の商品２００の提供を受ける場合（商品提供者２０の商品２００を購入する場合）には、商品提供者２０が消費者４０に商品２００を提供することになる。なお、商品２００と共に、付属物２０１も提供する。
【０２３５】
なお、本実施例のシステムでは、付属物情報出力手段８が情報を出力すると、情報提供者に「その旨」が送信される（情報提供者３０Ｅに送信される場合について、図２中符号（６）で示すステップ）。
【０２３６】
［３．ポイントの付与］
付属物情報出力手段８が情報を出力すると、ポイント付与手段９は、付属物情報出力手段８が出力した情報の記録者（情報をサーバ４に記録した情報提供者）にポイントを付与する。具体的には、例えば、付属物情報出力手段８が付属物の情報７Ｅｃ及びその他の情報７Ｅｄを出力した場合には、「商品提供者２０の商品２００の価格」に還元率の情報７Ｅｅを乗じた価格に相当するポイントを付与し、保有するポイントの情報７Ｅｆが更新されることになる。
【０２３７】
［効果］
上記した本発明の商品情報提供システムは、付属物の情報７Ｅｃ及びその他の情報７Ｅｄによって、商品提供者２０の商品２００の品質を把握することができる。
なお、商品２００の提供を受ける前に、付属物の情報７Ｅｃ及びその他の情報７Ｅｄを確認することで、商品２００の品質を把握することができるために、消費者４０は商品提供者２０の商品２００を購入するか否かの判断材料を得ることができる。
【０２３８】
また、付属物の情報６ｂと付属物の情報７Ｅｃの双方が出力され、商品を提供する側（商品提供者２０）とそれ以外（情報提供者３０Ｅ）の双方の情報に基づいて付属物２０１の特定を行うことにより、情報の改竄や偽造等を抑止することができる。
【０２３９】
同様に、商品の内容の情報６ａと商品の内容の情報７Ｅｂの双方が出力され、商品を提供する側（商品提供者２０）とそれ以外（情報提供者３０Ｅ）の双方の情報に基づいて商品２００の特定を行うことにより、情報の改竄や偽造等を抑止することができる。
【０２４０】
また、情報提供者にポイントが付与されることから、情報提供者情報を登録しようというインセンティブが高まり、情報提供者情報の充実（数量の充実、品質の充実）が期待でき、結果として、付属物を通じてより一層商品２００の品質を把握することができる。
【０２４１】
また、情報提供者自身が付属物の情報や還元率の情報を登録できること、商品提供者２０が選択した情報提供者情報に対してのみポイントが付与されること、から、情報提供者情報の品質が高められることが期待でき、このことによっても、付属物を通じてより一層商品２００の品質を把握することができる。
【０２４２】
［変形例１］
上記した本発明の商品情報提供システムの構成例の一例では、通販サイトでの販売を例に挙げて説明を行っているが、商品２００の提供方法は通販サイトに限定するものではない。
例えば、商品２００を店頭で販売する場合には、商品２００の近傍に識別情報（二次元バーコードやＵＲＬの情報）を表示して、こうした識別情報を通じて、消費者端末１０に各種情報（６ａ〜６ｂ、７Ｅｂ〜７Ｅｄ）を表示させても良い。
また、例えば、商品２００をカタログで販売する場合（図４参照）には、通販サイトと同様に、販売商品の画像と、それぞれの販売商品に対応して付属物の画像を掲載し、更に、それぞれの販売商品に対応して識別情報（二次元バーコードやＵＲＬの情報。図４では図示していない）を掲載し、こうした識別情報を通じて、消費者端末１０に各種情報（６ａ〜６ｂ、７Ｅｂ〜７Ｅｄ）を表示させても良い。
【０２４３】
［変形例２］
上記した本発明の商品情報提供システムの使用方法の一例では、付属物情報出力手段８が、商品提供者情報（商品の情報６ａ及び付属物の情報６ｂ）と、情報提供者情報（商品の情報７Ｅｂ、付属物の情報７Ｅｃ及びその他の情報７Ｅｄ）を消費者端末１０に出力する場合を例に挙げて説明を行っているが、消費者４０が商品２００の提供を受けるか否かの判断材料とするために、商品提供者２０の商品２００の品質を把握することができれば充分である。
そのため、付属物情報出力手段８は、商品提供者２０の商品２００の品質を把握することができる情報を、少なくとも１つ出力すれば充分である。具体的には、付属物の情報７Ｅｃ、若しくは、その他の情報７Ｅｄを消費者端末１０に出力すれば充分である。
【０２４４】
［変形例３］
上記した本発明の商品情報提供システムの使用方法の一例では、所定の商品２００と共に付属物２０１を提供する場合を例に挙げて説明を行っているが、必ずしも付属物２０１を提供する必要はなく、商品提供者２０から所定の商品２００のみが提供されても良い。
この場合（付属物を提供しない場合）には、付属物とは無関係の品質情報が情報提供者情報記録手段に記録され、付属物とは無関係の品質情報が消費者端末１０に表示されることになる。
【０２４５】
［変形例４］
また、上記した商品情報提供システムの構成例の一例（図１）に、ＡＩ情報記録手段を付加しても良い。
ＡＩ情報記録手段は、商品提供者情報記録手段６に記録された商品提供者情報や、情報提供者情報記録手段７に記録された情報提供者情報に基づいて、人工知能（ＡＩ）が各種データベースから収集した所定の情報が記録される。なお、ここでの「所定の情報」とは、例えば、商品提供者が提供する商品の品質に関する情報等、特に限定されるものではない。
また、サーバ４にアクセスした消費者４０に対して、ＡＩ情報記録手段に記録された情報を出力する（消費者端末１０に情報が表示される）。
【０２４６】
［変形例５］
また、上記した［変形例４］のＡＩ情報記録手段に代えて、サーバ４にアクセスした消費者４０に対して、商品提供者情報記録手段６に記録された商品提供者情報や、情報提供者情報記録手段７に記録された情報提供者情報に基づいて、人工知能（ＡＩ）が各種データベースから収集した所定の情報を提供する（換言すると、消費者端末１０に、ＡＩが各種データベースから収集した所定の情報を表示する）ＡＩ情報出力手段を有しても良い。
【０２４７】
［変形例６］
上記した本発明の商品情報提供システムの使用方法の一例では、情報提供者が登録した還元率の情報に応じてポイントを付与する場合を例に挙げて説明を行っているが、情報提供者情報が利用された情報提供者にポイントを付与することで、情報提供者情報の品質を高めることができれば充分であり、必ずしも情報提供者が登録した還元率の情報に応じてポイントを付与する必要はない。例えば、還元率を一律にしたり、付与するポイントを一律にしたり、といった態様でも良い。
【０２４８】
［変形例７］
上記した本発明の商品情報提供システムの使用方法の一例では、取扱対象が「商品」である場合を例に挙げて説明を行っているが、取扱対象は必ずしも「商品」である必要はなく、「サービス（役務）」であっても良い。
【符号の説明】
【０２４９】
１    商品情報提供システム
２    商品提供者端末
３    情報提供者端末
４    サーバ
５    インターネット
６    商品提供者情報記録手段
７    情報提供者情報記録手段
８    付属物情報出力手段
９    ポイント付与手段
１０    消費者端末
２０    商品提供者
３０    情報提供者
４０    消費者
２００    商品
２０１    付属物
【図１】
2020177657.tif 000003
【図２】
2020177657.tif 000004
【図３】
2020177657.tif 000005
【図４】
2020177657.tif 000006